(57)【特許請求の範囲】
【請求項１】
バックホール・リンクのダウンリンク・グラントまたはアップリンク・グラントを割り当てるために制御情報が使用されるキャリアアグリゲーションをサポートするマルチキャリア通信システムのサブフレーム内で前記制御情報を受信し、前記制御情報は異なるコンポーネントキャリアに関連し、受信ノードで行われる方法であって、
送信ノードから第１および第２のスロットを含むサブフレームを受信するステップであって、前記ダウンリンク・グラントは前記第１スロットのみで送信され、前記アップリンク・グラントは前記第２スロットのみで送信され、前記サブフレームは、周波数領域において１つのコンポーネントキャリアのサブキャリアに複数のリソースブロックペアを有し、各ペアは、前記第１のスロットのリソースブロックと前記第２のスロットのリソースブロックとからなる、ステップと、
前記第１のスロット内の第１のサーチスペース、前記第２のスロット内の第２のサーチスペース、および、前記第１のスロット内の第３のサーチスペースにおいて、前記制御情報のブラインド検出を行うステップであって、前記第１、第２および第３のサーチスペースは、１つまたは複数のリソースブロックに含まれる各候補にさらに分割され、前記ブラインド検出は複数の前記候補について行われる、ステップと、
を含み、
前記第１または第３のサーチスペースの少なくとも１つの候補は、前記第２のサーチスペースの少なくとも１つの候補と同じリソースブロックペアにあり、
前記第１のサーチスペースは第１のコンポーネントキャリアによって決定され、前記第２のサーチスペースは第２のコンポーネントキャリアによって決定され、前記第３のサーチスペースは第３のコンポーネントキャリアによって決定される、
方法。
【請求項２】
キャリアアグリゲーションをサポートするマルチキャリア通信システムのサブフレーム内で少なくとも１つの受信ノードに対する制御情報を送信し、前記制御情報は異なるコンポーネントキャリアに関連し、送信ノードで行われる方法であって、
受信ノードのための制御情報領域を、第１のスロット内の第１のサーチスペース、第２のスロット内の第２のサーチスペース、および、前記第１のスロット内の第３のサーチスペースにマッピングするステップであって、前記第１および前記第２のスロットは前記サブフレーム内に含まれ、前記サブフレームは、周波数領域において１つのコンポーネントキャリアのサブキャリアに複数のリソースブロックペアを有し、各ペアは、前記第１のスロットのリソースブロックと前記第２のスロットのリソースブロックとからなり、前記サーチスペースは、受信ノードがブラインド検出を行うリソースを含み、前記第１、第２、および第３のサーチスペースは、１つまたは複数のリソースブロックに含まれる各候補にさらに分割され、前記ブラインド検出は複数の前記候補について行われ、
前記第１または第３のサーチスペースの少なくとも１つの候補は、前記第２のサーチスペースの少なくとも１つの候補と同じリソースブロックペアにあり、
前記第１のサーチスペースは第１のコンポーネントキャリアによって決定され、前記第２のサーチスペースは第２のコンポーネントキャリアによって決定され、前記第３のサーチスペースは第３のコンポーネントキャリアによって決定される、ステップと、
前記サブフレームを前記少なくとも１つの受信ノードに送信するステップと、
を含む方法。
【請求項３】
前記候補は、１つ、２つ、４つ、または、８つのリソースブロックにマッピングされ、かつ／または、
前記第１のスロットは、ダウンリンクのコンポーネントキャリアのスケジューリングに関連するシグナリング情報を伝送し、前記第２のスロットは、アップリンクのコンポーネントキャリアのスケジューリングに関連するシグナリング情報を伝送する、
請求項１または２に記載の方法。
【請求項４】
前記サブフレームの前記第１のスロットは、複数のコンポーネントキャリアに関連する複数のサーチスペースを含み、
前記第２のスロット内の前記第２のサーチスペースの前記候補は、前記第１のスロット内にある前記複数のサーチスペースの各サーチスペースについて、前記第２のサーチスペースの少なくとも１つの候補が、前記複数のサーチスペースのうちの前記サーチスペースの候補と同じリソースブロックペアにマッピングされるように構成される、
請求項１から３のいずれかに記載の方法。
【請求項５】
前記第１のスロットの異なるサーチスペースのリソースブロックペアにマッピングされた前記第２のサーチスペースの候補は、前記第１のスロットの前記サーチスペースの先頭に対して異なる量のリソースブロックだけシフトされる、
請求項４に記載の方法。
【請求項６】
前記第２のスロット内の前記第２のサーチスペースの前記候補は、前記第１のスロットの各サーチスペースにマッピングされる所定サイズの候補数が同じになるように、前記第１のスロットの各サーチスペースに対して分散される、
請求項４または５に記載の方法。
【請求項７】
前記第２のスロット内の前記第２のサーチスペースの前記候補は、前記第１のサーチスペースにマッピングされた所定サイズの候補数が、前記第１のスロット内の別のサーチスペースにマッピングされた前記所定サイズの候補数よりも多くなるように、前記第１のスロットの各サーチスペースに対して分散される、
請求項６に記載の方法。
【請求項８】
前記第２のスロット内の前記第２のサーチスペースの前記候補は、各サイズの少なくとも１つの候補が、システム情報において前記第２のコンポーネントキャリアに関連付けられたコンポーネントキャリアに関する前記第１のスロット内のサーチスペースにマッピングされるように、前記第１のスロットの各サーチスペースに対して分散される、
請求項６に記載の方法。
【請求項９】
前記第２のスロット内の前記第２のサーチスペースの前記候補は、前記リソースブロック領域内で連続的にマッピングされる、
請求項１から８のいずれかに記載の方法。
【請求項１０】
前記第２のサーチスペースのすべての候補は、前記第１のサーチスペースの候補と同じリソースブロックペアにマッピングされる、
請求項１から３のいずれかに記載の方法。
【請求項１１】
前記第２のスロット内の前記第２のサーチスペースの前記候補は、前記第２のサーチスペースの少なくとも２つの候補が異なるフォーマットの前記制御情報をシグナリングするように、前記制御情報のフォーマットに従って前記第１のスロットの各サーチスペースに対して分散される、
請求項６に記載の方法。
【請求項１２】
前記受信ノードは３ＧＰＰ  ＬＴＥに基づくシステム内の中継ノードであり、前記送信ノードはドナーｅＮｏｄｅＢであり、
物理ダウンリンク制御チャネルは、時間領域で物理リソースブロックがインターリーブされないＲ−ＰＤＣＣＨである、
請求項１から１１のいずれかに記載の方法。
【請求項１３】
コンピュータ可読のプログラムコードを含むコンピュータプログラムであって、前記プログラムコードは、請求項１から１２のいずれかに記載の方法をコンピュータに実施させるように構成される、
コンピュータプログラム。
【請求項１４】
バックホール・リンクのダウンリンク・グラントまたはアップリンク・グラントを割り当てるために制御情報が使用されるキャリアアグリゲーションをサポートするマルチキャリア通信システムのサブフレーム内で前記制御情報を受信する受信装置であって、前記制御情報は異なるコンポーネントキャリアに関連し、
送信ノードから第１および第２のスロットを含むサブフレームを受信し、前記ダウンリンク・グラントは前記第１スロットのみで送信され、前記アップリンク・グラントは前記第２スロットのみで送信され、前記サブフレームは、周波数領域において１つのコンポーネントキャリアのサブキャリアに複数のリソースブロックペアを有し、各ペアは、前記第１のスロットのリソースブロックと前記第２のスロットのリソースブロックとからなる、受信部と、
前記第１のスロット内の第１のサーチスペース、前記第２のスロット内の第２のサーチスペース、および前記第１のスロット内の第３のサーチスペースにおいて、前記制御情報のブラインド検出を行い、前記第１、第２、および第３のサーチスペースは、１つまたは複数のリソースブロックに含まれる各候補にさらに分割され、前記ブラインド検出は複数の前記候補について行われる、検出部と、
を備え、
前記第１または第３のサーチスペースの少なくとも１つの候補は、前記第２のサーチスペースの少なくとも１つの候補と同じリソースブロックペアにあり、
前記第１のサーチスペースは第１のコンポーネントキャリアによって決定され、前記第２のサーチスペースは第２のコンポーネントキャリアによって決定され、前記第３のサーチスペースは第３のコンポーネントキャリアによって決定される、
受信装置。
【請求項１５】
キャリアアグリゲーションをサポートするマルチキャリア通信システムのサブフレーム内で少なくとも１つの受信ノードに対する制御情報を送信する送信装置であって、前記制御情報は異なるコンポーネントキャリアに関連し、
受信ノードのための制御情報領域を、第１のスロット内の第１のサーチスペース、第２のスロット内の第２のサーチスペース、および前記第１のスロット内の第３のサーチスペースにマッピングするマッピング部であって、
前記第１および前記第２のスロットは前記サブフレーム内に含まれ、前記サブフレームは、周波数領域において１つのコンポーネントキャリアのサブキャリアに複数のリソースブロックペアを有し、各ペアは、前記第１のスロットのリソースブロックと前記第２のスロットのリソースブロックとからなり、前記サーチスペースは、受信ノードがブラインド検出を行うリソースを含み、前記第１、第２、および第３のサーチスペースは、１つまたは複数のリソースブロックに含まれる各候補にさらに分割され、前記ブラインド検出は複数の前記候補について行われ、
前記第１または第３のサーチスペースの少なくとも１つの候補は、前記第２のサーチスペースの少なくとも１つの候補と同じリソースブロックペアにあり、前記第１のサーチスペースは第１のコンポーネントキャリアによって決定され、前記第２のサーチスペースは第２のコンポーネントキャリアによって決定され、前記第３のサーチスペースは第３のコンポーネントキャリアによって決定され、
前記サブフレームを前記少なくとも１つの受信ノードに送信する送信部と、
を備える装置。
【請求項１６】
前記サブフレームの前記第１のスロットは、複数のコンポーネントキャリアに関連する複数のサーチスペースを含み、
前記第２のスロット内の前記第２のサーチスペースの前記候補は、前記第１のスロット内にある前記複数のサーチスペースの各サーチスペースについて、前記第２のサーチスペースの少なくとも１つの候補が、前記複数のサーチスペースのうちの前記サーチスペースの候補と同じリソースブロックペアにマッピングされるように構成される、
請求項１４または１５に記載の装置。
【請求項１７】
前記第１のスロットの異なるサーチスペースのリソースブロックペアにマッピングされた前記第２のサーチスペースの候補は、前記第１のスロットの前記サーチスペースの先頭に対して異なる量のリソースブロックだけシフトされる、
請求項１６に記載の装置。
【請求項１８】
前記第２のスロット内の前記第２のサーチスペースの前記候補は、前記第１のスロットの各サーチスペースにマッピングされる所定サイズの候補数が同じになるように、前記第１のスロットの各サーチスペースに対して分散される、
請求項１６または１７に記載の装置。
【請求項１９】
前記第２のスロット内の前記第２のサーチスペースの前記候補は、前記第１のサーチスペースにマッピングされた所定サイズの候補数が、前記第１のスロット内の別のサーチスペースにマッピングされた前記所定サイズの候補数よりも多くなるように、前記第１のスロットの各サーチスペースに対して分散される、
請求項１８に記載の装置。
【請求項２０】
前記第２のスロット内の前記第２のサーチスペースの前記候補は、前記第２のサーチスペースの少なくとも２つの候補が異なるフォーマットの前記制御情報をシグナリングするように、前記制御情報のフォーマットに従って前記第１のスロットの各サーチスペースに対して分散される、
請求項１８に記載の装置。
【発明の詳細な説明】
【技術分野】
【０００１】
本発明は、ＯＦＤＭに基づく移動通信システムでのアップリンクおよびダウンリンクのスケジューリングをシグナリングすることに関する。詳細には、本発明は、サーチスペース（Search Space）を構成するための方法および装置、ならびにアップリンクおよびダウンリンクのスケジューリング制御情報をシグナリングするためのサーチスペースチャネル構造に関する。
【背景技術】
【０００２】
例えば３ＧＰＰ（third generation partnership project）で標準化されたＵＭＴＳ（Universal Mobile Telecommunication System）などの第３世代（３Ｇ）の移動システムは、ＷＣＤＭＡ（Wideband Code Division Multiple Access）（登録商標）無線アクセス技術に基づいている。今日、３Ｇシステムは世界中に広範な規模で配備されつつある。ＨＳＤＰＡ（High-Speed Downlink Packet Access）、及び、ＨＳＵＰＡ（High-Speed Uplink Packet Access）とも呼ばれる強化されたアップリンクを導入することによってこの技術を拡張した後、ＵＭＴＳ標準の発展における次の主要な段階では、ダウンリンクでのＯＦＤＭ（Orthogonal Frequency Division Multiplexing）と、アップリンクでのＳＣ−ＦＤＭＡ（Single Carrier Frequency Division Multiplexing Access）との組み合わせが取り入れられた。このシステムは、将来の技術発展に対応していくことを意図しているため、ＬＴＥ（Long Term Evolution）と名付けられている。
【０００３】
ＬＴＥシステムは、低待ち時間かつ低コストでＩＰに完全に基づく諸機能を提供する、パケットを利用した効率的な無線アクセス及び無線アクセスネットワークに相当する。詳細なシステム要件は、非特許文献１（http://www.3gpp.org/で入手することができ、その内容は本明細書に援用される）で得られる。ダウンリンクは、ＱＰＳＫ、１６ＱＡＭ、および６４ＱＡＭのデータ変調方式に対応し、アップリンクはＢＰＳＫ、ＱＰＳＫ、８ＰＳＫ、および１６ＱＡＭに対応する。
【０００４】
ＬＴＥのネットワーク・アクセスは、５ＭＨｚにチャネルが固定されたＵＴＲＡ（UMTS Terrestrial Radio Access）と対照的に、１．２５〜２０ＭＨｚの間のいくつかの規定チャネル帯域幅を使用し、柔軟性が非常に高い。スペクトル効率はＵＴＲＡと比べて最高で４倍まで向上され、アーキテクチャおよびシグナリングの改善により往復の待ち時間が短縮される。ＭＩＭＯ（Multiple Input/Multiple Output）のアンテナ技術により、３ＧＰＰの当初のＷＣＤＭＡ無線アクセス技術に比べて１セル当たり１０倍のユーザに対応できるようになる。可能な限り多くの周波数帯割当の配置に適合するために、ペアになった帯域動作（ＦＤＤ：Frequency Division Duplex）およびペアをなさない帯域動作（ＴＤＤ：Time Division Duplex）の両方に対応する。ＬＴＥは、隣接するチャネル内でも以前の３ＧＰＰ無線技術と共存することができ、すべての３ＧＰＰの以前の無線アクセス技術との間で呼を受け渡しすることができる。
【０００５】
図１に、ＬＴＥリリース８のコンポーネントキャリア（Component Carrier）の構造を示す。３ＧＰＰ  ＬＴＥリリース８のダウンリンクのコンポーネントキャリアは、時間−周波数領域でいわゆるサブフレームに分割される。各サブフレームは、１期間Ｔｓｌｏｔに相当する２つのダウンリンク・スロット１２０に分割される。第１のダウンリンク・スロットは、先頭のＯＦＤＭシンボルの中に制御チャネル領域を備える。各サブフレームは、時間領域の所定数のＯＦＤＭシンボルからなる。各ＯＦＤＭシンボルはコンポーネントキャリアの帯域幅全体に渡る。スケジューラによって割り当てることができる最小単位のリソースはリソースブロック１３０であり、これは物理リソースブロック（ＰＲＢ：Physical Resource Block）とも呼ばれる。ＰＲＢ１３０は時間領域のＮsymbDL個の連続したＯＦＤＭシンボルおよび周波数領域のＮSCRB個の連続したサブキャリアとして定義される。実際の運用では、ダウンリンクリソースはリソースブロックペアとして割り当てられる。リソースブロックペアは、２つのリソースブロックからなる。１リソースブロックペアは、周波数領域のＮSCRB個の連続したサブキャリアと、時間領域のサブフレームの２・ＮsymbDL個の全変調シンボルに渡る。ＮsymbDLは６または７であり、結果として合計１２個または１４個のＯＦＤＭシンボルがあることになる。したがって、物理リソースブロック１３０は、時間領域の１スロットおよび周波数領域の１８０ｋＨｚに相当するＮsymbDL×ＮSCRB個のリソースエレメント（Resource Element）１４０からなる（ダウンリンクのリソースグリッドに関するさらなる詳細は、例えば非特許文献２（http://www.3gpp.org.で入手可能）で得ることができ、その内容は本明細書に援用される）。
【０００６】
ダウンリンクの物理リソースブロックの数ＮRBDLは、セル内で設定されたダウンリンク送信の帯域幅に応じて決まり、現在ＬＴＥでは６〜１１０個のＰＲＢで規定される。
【０００７】
データは、仮想リソースブロックのペアを利用して物理リソースブロックにマッピングされる。仮想リソースブロックのペアが物理リソースブロックのペアにマッピングされる。下記の２種類の仮想リソースブロックが、ＬＴＥのダウンリンクの物理リソースブロックへのマッピングに従って定義される。
−ＬＶＲＢ（Localized Virtual Resource Block、局所ＶＲＢ）
−ＤＶＲＢ（Distributed Virtual Resource Block、分散ＶＲＢ）
【０００８】
局所ＶＲＢを使用する局所送信モードでは、ｅＮＢが、どのリソースブロックをどれくらい使用するかについて完全に制御し、通常はその制御により、スペクトル効率が高くなるリソースブロックを選択する。大半の移動通信システムでは、その結果、隣接する物理リソースブロックまたは隣接する物理リソースブロックの複数個のまとまりが単一のユーザ機器への送信のために使用されることになる。これは、無線チャネルが周波数領域でコヒーレントであるためであり、１つの物理リソースブロックで高いスペクトル効率が得られる場合には、それに隣接する物理リソースブロックでも同様に高いスペクトル効率が得られる可能性が高いことを示唆する。分散ＶＲＢを使用する分散伝送モードでは、充分に高いスペクトル効率をもたらす少なくともいくつかの物理リソースブロックに当たり、それにより周波数ダイバーシティを得るために、同じＵＥ向けデータを伝送する物理リソースブロックが周波数帯に渡って分散される。
【０００９】
３ＧＰＰ  ＬＴＥリリース８では、アップリンクおよびダウンリンクに１つのコンポーネントキャリアしかない。ダウンリンクの制御シグナリングは、基本的に次の３つの物理的なチャネルによって伝送される。
−サブフレームにおいて制御シグナリングに使用されるＯＦＤＭシンボルの数（すなわち制御チャネル領域の大きさ）を指示するＰＣＦＩＣＨ（Physical Control Format Indicator Channel）、
−アップリンクのデータ送信に関連するダウンリンクのＡＣＫ／ＮＡＣＫを伝送するＰＨＩＣＨ（Physical Hybrid ARQ Indicator Channel）、および
−ダウンリンクのスケジューリング割当およびアップリンクのスケジューリング割当を伝送するＰＤＣＣＨ（Physical Downlink Control Channel。物理ダウンリンク制御チャネル）。
【００１０】
ＰＣＦＩＣＨは、既知の所定の変調および符号化方式を使用して、ダウンリンクサブフレームの制御シグナリング領域内の既知の位置から送信される。ユーザ機器は、サブフレーム中の制御シグナリング領域の大きさ、例えばＯＦＤＭシンボルの数に関する情報を得るためにＰＣＦＩＣＨを復号する。ユーザ機器（ＵＥ：User Equipment）がＰＣＦＩＣＨを復号できない場合、または誤りのあるＰＣＦＩＣＨ値を得た場合、制御シグナリング領域に含まれるＬ１／Ｌ２制御シグナリング（ＰＤＣＣＨ）を正しく復号することができず、その結果制御シグナリング領域に含まれるすべてのリソース割当が失われる可能性がある。
【００１１】
ＰＤＣＣＨは、例えばダウンリンクまたはアップリンクのデータ送信用のリソースを割り当てるためのスケジューリング・グラントなどの制御情報を伝送する。物理制御チャネルは、１つまたは数個の連続したＣＣＥ（Control Channel Element）を集約（aggregation）したもので送信される。各ＣＣＥは、いわゆるリソースエレメントグループ（ＲＥＧ：Resource Element Group）にまとめられたリソースエレメントの組に相当する。ＣＣＥは、通例、９個のリソースエレメントグループに対応する。ＰＤＣＣＨ内のスケジューリング・グラントは、ＣＣＥに基づいて定義される。リソースエレメントグループは、リソースエレメントへの制御チャネルのマッピングを定義するために使用される。各ＲＥＧは、同じＯＦＤＭシンボル中にある参照信号を除く４つの連続したリソースエレメントからなる。ＲＥＧは、１つのサブフレーム内の１番目から４番目のＯＦＤＭシンボルに存在する。ユーザ機器向けのＰＤＣＣＨは、サブフレーム中のＰＣＦＩＣＨに従って、先頭の１つ、２つ、または３つのＯＦＤＭシンボルで送信される。
【００１２】
３ＧＰＰ  ＬＴＥリリース８（および後のリリース）において物理リソースへのデータのマッピングに使用される別の論理単位はリソースブロックグループ（ＲＢＧ）である。リソースブロックグループは、（周波数で）連続した物理リソースブロックの組である。ＲＢＧの概念は、指示などのためのオーバーヘッドを最小にし、それにより送信時のデータに対する制御オーバーヘッドの比率を下げるために、受信ノード（例えばＵＥ）に割り当てられるリソースの位置を指示するために特定のＲＢＧをアドレス指定することを可能にする。現在、ＲＢＧのサイズは、システム帯域幅、具体的には、ＮRBDLに応じて、１、２、３または４と指定されている。ＬＴＥリリース８におけるＰＤＣＣＨのＲＢＧのマッピングに関するさらなる詳細は、非特許文献３（http://www.3gpp.org/で自由に入手可能）で得られ、その内容は本明細書に援用される。
【００１３】
ＰＤＳＣＨ（Physical Downlink Shared Channel：物理ダウンリンク共有チャネル）はユーザデータの伝送に使用される。ＰＤＳＣＨは、１つのサブフレーム中でＰＤＣＣＨの後に残りのＯＦＤＭシンボルにマッピングされる。１つのＵＥに割り当てられるＰＤＳＣＨリソースは、サブフレームごとにリソースブロックを単位とする。
【００１４】
図２に、サブフレーム内のＰＤＣＣＨ及びＰＤＳＣＨのマッピング例を示す。最初の２つのＯＦＤＭシンボルが制御チャネル領域（ＰＤＣＣＨ領域）を形成し、Ｌ１／Ｌ２の制御シグナリングに使用される。残りの１２個のＯＦＤＭシンボルがデータチャネル領域（ＰＤＳＣＨ領域）を形成し、データに使用される。すべてのサブフレームのリソースブロックペアで、セル固有の参照信号、いわゆるＣＲＳ（Common Reference Signal：共通参照信号）が１つまたは数個のアンテナポート０〜３で送信される。図２の例では、ＣＲＳは、Ｒ０およびＲ１の２つのアンテナポートから送信される。さらに、サブフレームは、ユーザ機器でＰＤＳＣＨを復調するために使用されるＵＥ固有の参照信号、いわゆるＤＭ−ＲＳ（Demodulation Reference Signal：復調用参照信号）も含む。ＤＭ−ＲＳは、特定のユーザ機器に対してＰＤＳＣＨが割り当てられているリソースブロックでのみ送信される。ＤＭ−ＲＳを用いてＭＩＭＯに対応するために、４つのＤＭ−ＲＳ層が定義され、すなわち最大で４層のＭＩＭＯがサポートされることを意味する。この例では、図２で、ＤＭ−ＲＳ層１、２、３、および４がＭＩＭＯ層１、２、３、および４に対応している。
【００１５】
ＬＴＥの主要な特徴の１つは、同期された１つの周波数ネットワークを通じて複数のセルからマルチキャストデータまたはブロードキャストデータを送信できることであり、これはＭＢＳＦＮ（Multimedia Broadcast Single Frequency Network）動作と呼ばれる。ＭＢＳＦＮ動作では、ＵＥは、複数のセルから同期された信号を受信し、それらの信号を合成する。これを容易にするために、ＵＥは、ＭＢＳＦＮ参照信号に基づいて別個のチャネル推定を行う必要がある。同じサブフレーム内にＭＢＳＦＮ参照信号と通常の参照信号とが混在することを回避するために、ＭＢＳＦＮサブフレームと呼ばれる特定のサブフレームがＭＢＳＦＮ送信から予約される。
【００１６】
ＭＢＳＦＮサブフレームの構造が図３に示され、最初の２つのＯＦＤＭシンボルまでが非ＭＢＳＦＮ送信のために予約され、残りのＯＦＤＭシンボルがＭＢＳＦＮ送信に使用される。１番目から２番目のＯＦＤＭシンボルにおいて、アップリンクリソース割当のためのＰＤＣＣＨとＰＨＩＣＨとを送信することができ、セル固有の参照信号は、非ＭＢＳＦＮ送信用のサブフレームと同じである。１つのセル内のＭＢＳＦＮサブフレームの特定のパターンは、そのセルのシステム情報でブロードキャストされる。ＭＢＳＦＮを受信することができないＵＥは、１番目から２番目のＯＦＤＭシンボルを復号し、残りのＯＦＤＭシンボルは無視する。ＭＢＳＦＮサブフレームの構成は、１０ｍｓおよび４０ｍｓ両方の周期に対応可能である。ただし、番号０、４、５、および９のサブフレームは、ＭＢＳＦＮサブフレームとして設定することができない。図３に、ＭＢＳＦＮサブフレームの形式を示す。Ｌ１／Ｌ２の制御シグナリングで送信されるＰＤＣＣＨ情報は、共有制御情報と個別制御情報に分けることができる。
【００１７】
ＩＭＴ−ａｄｖａｎｃｅｄの周波数スペクトルは、２００８年１１月に開催された世界無線通信会議（ＷＲＣ−０７）で決定された。しかし、利用可能な実際の周波数帯幅は、地域または国ごとに異なる場合がある。３ＧＰＰにより標準化されたＬＴＥの拡張版は、ＬＴＥ−ａｄｖａｎｃｅｄ（ＬＴＥ−Ａ）と呼ばれ、リリース１０の主題として承認されている。ＬＴＥ−Ａリリース１０はキャリアアグリゲーション（Carrier Aggregation）を用いる。キャリアアグリゲーションでは、より広い伝送帯域幅、例えば最高で１００ＭＨｚの伝送帯域幅に対応するために、ＬＴＥリリース８で定義された２つ以上のコンポーネントキャリアが集約される。キャリアアグリゲーションについてのさらなる詳細は、非特許文献４（http://www.3gpp.org/で自由に入手可能）で得ることができ、その内容は本明細書に援用される。通例は、１つのコンポーネントキャリアは２０ＭＨｚの帯域幅を超えないと想定される。端末は、その能力によっては、１つまたは複数のコンポーネントキャリアを同時に受信および／または送信する場合がある。ＵＥは、アップリンクとダウンリンクとで異なる数のコンポーネントキャリア（ＣＣ）を集約するように構成することができる。設定可能なダウンリンクＣＣの数は、ＵＥのダウンリンクの集約能力に応じて決まる。設定可能なアップリンクＣＣの数は、ＵＥのアップリンクの集約能力に応じて決まる。ただし、ダウンリンクＣＣよりもアップリンクＣＣが多くなるようにＵＥを構成することはできない。
【００１８】
用語「コンポーネントキャリア」は、用語「セル」と同義である場合もある。これは、ＬＴＥおよびＵＭＴＳの過去のリリースで知られるセルの概念と同様に、コンポーネントキャリアは、データの送信／受信のためのリソースを定義し、ワイヤレスノード（例えばＵＥ、ＲＮ）に利用されるリソースに追加、再設定、または削除することができるためである。具体的には、セルは、ダウンリンクリソースと場合によってはアップリンクリソース、すなわちダウンリンクのコンポーネントキャリアと場合によってはアップリンクのコンポーネントキャリアとの組み合わせである。Ｒｅｌ−８／９では、ダウンリンクリソースの１つのキャリア周波数とアップリンクリソースの１つのキャリア周波数がある。ダウンリンクリソースのキャリア周波数は、セル選択手順を通じてＵＥに検出される。アップリンクリソースのキャリア周波数は、ＳＩＢ２（System Information Block 2）を通じてＵＥに通知される。キャリアアグリゲーションが設定される場合、ダウンリンクリソースの２つ以上のキャリア周波数と、可能性としてはアップリンクリソースの２つ以上のキャリア周波数がある。したがって、ダウンリンクリソースと場合によってはアップリンクリソースの２つ以上の組み合わせ、すなわち２つ以上のサービングセルがあることになる。主要なサービングセルはＰＣｅｌｌ（Primary Cell）と呼ばれる。他のサービングセルはＳＣｅｌｌ（Secondary Cell(s)）と呼ばれる。
【００１９】
キャリアアグリゲーションが設定される場合、ＵＥは、ネットワークとの無線リソース制御（ＲＲＣ：Radio Resource Control）接続を１つのみ有する。ＰＣｅｌｌは、ＲＲＣ接続の再確立またはハンドオーバー時に非アクセス層（ＮＡＳ：Non-Access Stratum）モビリティ情報およびセキュリティ入力を提供する。ＵＥの能力に応じて、ＳＣｅｌｌは、ＰＣｅｌｌと共にサービングセルの組を形成するように構成することができる。ＲＲＣ接続は、ＵＥ側のＲＲＣ層とネットワーク側のＲＲＣ層との間の接続である。ＵＥとＥ−ＵＴＲＡＮ間のＲＲＣ接続の確立、維持、および開放は、ＵＥとＥ−ＵＴＲＡＮ間の一時識別子の割当、ＲＲＣ接続のためのシグナリング無線ベアラ（ＳＲＢ：Signaling Radio Bearer(s)）、すなわち低優先度のＳＲＢおよび高優先度のＳＲＢの設定、を含む。ＲＲＣに関するさらなる詳細は、非特許文献５（http://www.3gpp.org/で自由に入手可能）で得ることができ、その内容は本明細書に援用される。
【００２０】
ダウンリンクでは、ＰＣｅｌｌに対応するキャリアはＤＬ  ＰＣＣ（Downlink Primary Component Carrier）と呼ばれ、一方、アップリンクでは、ＰＣｅｌｌに対応するキャリアはＵＬ  ＰＣＣ（Uplink Primary Component Carrier）と呼ばれる。ＤＬ  ＰＣＣとＵＬ  ＰＣＣとの関連付けは、ＰＣｅｌｌからのシステム情報（ＳＩＢ２）で通知される。システム情報は、各セルからブロードキャストされる共通の制御情報であり、例えば端末へのセルについての情報を含む。ＰＣｅｌｌのシステム情報の受信に関しては、Ｒｅｌ−８／９のＬＴＥの手順が適用される。Ｒｅｌ−８／９のシステム情報受信手順の詳細は、非特許文献６（http://www.3gpp.orgで自由に入手可能）で得ることができ、その内容は本明細書に援用される。ダウンリンクでは、ＳＣｅｌｌに対応するキャリアはＤＬ  ＳＣＣ（Downlink Secondary Component Carrier）であり、一方、アップリンクではＵＬ  ＳＣＣ（Uplink Secondary Component Carrier）である。ＤＬ  ＳＣＣとＵＬ  ＳＣＣとの関連付けは、ＳＣｅｌｌのシステム情報（ＳＩＢ２）で通知される。ＳＣｅｌｌのすべての必要なシステム情報は、ＳＣｅｌｌを追加する際に個別のＲＲＣシグナリングを通じてＵＥに送信される。したがって、ＵＥが直接ＳＣｅｌｌからシステム情報を取得する必要はない。ＳＣｅｌｌのシステム情報は、そのＳＣｅｌｌが設定されている限り有効であり続ける。ＳＣｅｌｌのシステム情報の変化は、ＳＣｅｌｌの除去および追加を通じて処理される。ＳＣｅｌｌの除去および／または追加は、ＲＲＣ手順を使用して行うことができる。
【００２１】
ダウンリンク・グラントとアップリンク・グラントはいずれもＤＬ  ＣＣで受信される。したがって、あるＤＬ  ＣＣで受信されたアップリンク・グラントが、どのＵＬ  ＣＣのアップリンク送信に対応するのかを知るために、ＤＬ  ＣＣとＵＬ  ＣＣとの関連付けが必要となる。
【００２２】
ＵＬ  ＣＣとＤＬ  ＣＣとの関連付けにより、当該グラントが適用されるサービングセルを特定することが可能となる。
−ＰＣｅｌｌで受信されるダウンリンク割当（downlink assignment）は、そのＰＣｅｌｌ内のダウンリンク送信に対応する。
−ＰＣｅｌｌで受信されるアップリンク・グラントは、そのＰＣｅｌｌ内のアップリンクの送信に対応する。
−ＳＣｅｌｌＮで受信されるダウンリンク割当は、ＳＣｅｌｌＮ内のダウンリンクの送信に対応する。
−ＳＣｅｌｌＮで受信されるアップリンク・グラントは、ＳＣｅｌｌＮ内のアップリンク送信に対応する。ＳＣｅｌｌＮがＵＥによるアップリンクの使用のために構成されていない場合は、グラントはＵＥに無視される。
【００２３】
非特許文献７のSection 5.3.3.1において、ＣＩＦ（Carrier Indication Field）を使用したクロスキャリアスケジューリング（cross-carrier scheduling。キャリア間スケジューリング）の可能性についても記載している。
【００２４】
ＵＥは、同時に複数個のサービングセルにまたがってスケジュールすることができる。ＣＩＦを用いたクロスキャリアスケジューリングにより、あるサービングセルのＰＤＣＣＨが別のサービングセルのリソースをスケジュールすることが可能になる。ただし、以下のような制約がある。
−クロスキャリアスケジューリングはＰＣｅｌｌには適用されない。つまりＰＣｅｌｌは常に自身のＰＤＣＣＨを介してスケジューリングされる。
−ＳＣｅｌｌのＰＤＣＣＨが設定される場合、クロスキャリアスケジューリングはそのＳＣｅｌｌには適用されない。すなわち、ＳＣｅｌｌは常に自身のＰＤＣＣＨを介してスケジューリングされる。
−ＳＣｅｌｌのＰＤＣＣＨが設定されない場合は、クロスキャリアスケジューリングが適用され、そのＳＣｅｌｌは常に別のサービングセルのＰＤＣＣＨを介してスケジューリングされる。
【００２５】
したがって、ＣＩＦがない場合は、ＤＬ  ＣＣとＵＬ  ＣＣとの関連付けによりアップリンク送信のためのＵＬ  ＣＣが特定され、ＣＩＦがある場合は、ＣＩＦ値によりアップリンク送信のためのＵＬ  ＣＣが特定される。
【００２６】
モニタ対象のＰＤＣＣＨ候補の組（「モニタリング」は各ＰＤＣＣＨの復号を試みることを意味する）が「サーチスペース」として定義される。ＣＩＦが設定されていないＵＥは、動作状態にある各サービングセルにおいて各アグリゲーションレベル（aggregation level）１、２、４、８で１つのＵＥ固有のサーチスペースをモニタする。ＣＩＦが設定されたＵＥは、１つまたは複数の動作状態にあるサービングセルにおいて各アグリゲーションレベル１、２、４、８で１つまたは複数のＵＥ固有のサーチスペースをモニタする。ＵＥにＣＩＦが設定される場合、ＵＥ固有のサーチスペースはコンポーネントキャリアによって決定される。これは、サーチスペースのＰＤＣＣＨ候補に対応するＣＣＥのインデックスがＣＩＦの値によって決まることを意味する。ＣＩＦは、コンポーネントキャリアのインデックスを指定する。
【００２７】
ＵＥが、ＣＩＦを用いて所定のＤＣＩフォーマットサイズの所定のサービングセル内のＰＤＣＣＨ候補をモニタするように設定された場合、ＵＥは、その所定のＤＣＩフォーマットサイズに取りうるＣＩＦのいずれかの値に対応するＵＥ固有のサーチスペースで、その所定のＤＣＩフォーマットサイズを有するＰＤＣＣＨ候補がその所定のサービングセルで送信される可能性があると想定する。すなわち、ある所定のＤＣＩフォーマットサイズが２つ以上のＣＩＦ値を有することができる場合、ＵＥは、その所定のＤＣＩフォーマットの取りうるＣＩＦ値にそれぞれ対応する、ＵＥ固有のサーチスペース内のＰＤＣＣＨ候補をモニタすることになる。
【００２８】
ＬＴＥ−ＡでＰＤＣＣＨについて定義される、ＣＩＦを使用した、または使用しないサーチスペースの構成についてのさらなる詳細は、非特許文献８（http://www.3gpp.org/で自由に入手可能）で得ることができ、その内容は本明細書に援用される。
【００２９】
ＬＴＥ−Ａの別の主要な機能は、３ＧＰＰ  ＬＴＥ−ＡのＵＴＲＡＮアーキテクチャに中継ノードに導入することにより中継機能を提供することである。中継は、ＬＴＥ−Ａでは、高いデータレートの利用可能範囲、グループのモビリティ、一時的なネットワーク配備、セルエッジのスループットを向上させ、かつ／または、新しい地域に受信可能範囲を提供するための手段と考えられる。
【００３０】
中継ノードは、ドナー（donor）セルを介して無線アクセスネットワークにワイヤレスに接続される。中継の手法に応じて、中継ノードは、ドナー・セルの一部としても、あるいは独自にセルを制御してもよい。中継ノードがドナー・セルの一部である場合、中継ノードは独自のセルＩＤ（cell identity）は持たないが、中継ＩＤは持つことができる。中継ノードが独自にセルを制御する場合は、１つまたは数個のセルを制御し、その中継ノードに制御される各セル内で一意の物理レイヤセルＩＤが提供される。少なくとも、「タイプ１」の中継ノードは３ＧＰＰ  ＬＴＥ−Ａの一部となる。「タイプ１」の中継ノードは、以下の特徴を持つ中継ノードである。
−中継ノードは、ユーザ機器に対してそれぞれドナー・セルとは異なる別のセルに見えるセルを制御する。
−それらのセルはＬＴＥリリース８で定義される独自の物理セルＩＤを持ち、中継ノードは、自身の同期チャネル、参照シンボル等を送信する。
−単一セル動作に関して、ＵＥは、スケジューリング情報およびＨＡＲＱフィードバックを中継ノードから直接受信し、自身の制御情報（ＡＣＫ（Acknowledgments）、チャネル品質通知（ＣＱＩ：Channel Quality Indications）、スケジューリング要求）を中継ノードに送信する。
−中継ノードは、後方互換性をサポートするために、３ＧＰＰ  ＬＴＥ準拠のユーザ機器に対しては３ＧＰＰ  ＬＴＥ準拠のｅＮｏｄｅＢとして見えなければならない。
−中継ノードは、３ＧＰＰ  ＬＴＥ−Ａ準拠のユーザ機器に対してさらなる性能の拡張を可能にするために、３ＧＰＰ  ＬＴＥのｅＮｏｄｅＢに対して異なる形で見えなければならない。
【００３１】
図４は、中継ノードを使用した３ＧＰＰ  ＬＴＥ−Ａネットワーク構造の例を示す。ドナーｅＮｏｄｅＢ（ｄ−ｅＮＢ）４１０は、ユーザ機器ＵＥ１  ４１５および中継ノード（ＲＮ）４２０に直接サービスし、中継ノード（ＲＮ）４２０はさらにＵＥ２  ４２５にサービスする。ドナーｅＮｏｄｅＢ４１０と中継ノード４２０との間のリンクは、通例、中継バックホール・アップリンク／ダウンリンクと呼ばれる。中継ノード４２０と、その中継ノードに接続されたユーザ機器４２５（ｒ−ＵＥとも称する）との間のリンクは（中継）アクセス・リンクと呼ばれる。
【００３２】
ドナーｅＮｏｄｅＢは、Ｌ１／Ｌ２制御およびデータをマイクロユーザ機器ＵＥ１  ４１５と、中継ノード４２０にも送信し、中継ノード４２０はさらにそのＬ１／Ｌ２制御およびデータを中継ユーザ機器ＵＥ２  ４２５に送信する。中継ノードは、送信動作と受信動作を同時に行うことはできない時間多重化モードで動作することができる。具体的には、ｅＮｏｄｅＢ４１０から中継ノード４２０へのリンクが中継ノード４２０からＵＥ２  ４２５へのリンクと同じ周波数スペクトルで動作する場合、中継送信機が自身の受信機に対する干渉を引き起こす。このため、同じ周波数リソースでＮｏｄｅＢから中継ノードへの送信と中継ノードからＵＥへの送信を同時に行うことは、受信信号と送信信号との充分な分離がもたらされなければ可能でない場合がある。したがって、中継ノード４２０がドナーｅＮｏｄｅＢ４１０に送信を行う際には、その中継ノードに接続されたＵＥ４２５からの受信を同時に行うことはできない。同様に、中継ノード４２０がドナーｅＮｏｄｅＢからデータを受信する際には、その中継ノードに接続されたＵＥ４２５にデータを送信することはできない。したがって、中継バックホール・リンクと中継アクセス・リンクの間にはサブフレームの区分けがある。
【００３３】
中継ノードのサポートに関して、３ＧＰＰでは現在以下の合意がなされている。
−ｅＮｏｄｅＢから中継ノードへのダウンリンクの中継バックホール送信が設定される中継バックホール・ダウンリンクサブフレームは、準静的に割り当てられる。
−中継ノードからｅＮｏｄｅＢへのアップリンクのバックホール送信が設定される中継バックホール・アップリンク・サブフレームは、半静的に割り当てられるか、または中継バックホール・ダウンリンクサブフレームからのＨＡＲＱタイミングにより暗黙的に導出される。
−中継バックホール・ダウンリンクサブフレームでは、中継ノードはドナーｅＮｏｄｅＢに送信を行う。したがってｒ−ＵＥは、中継ノードからデータを受信することは想定しないものとされる。自身が中継ノードに接続されていることを認識しないＵＥ（中継ノードが標準的なｅＮｏｄｅＢとして見えるリリース８のＵＥなど）に対する後方互換性をサポートするために、中継ノードは、バックホール・ダウンリンクサブフレームをＭＢＳＦＮサブフレームとして設定する。
【００３４】
以下では、例示のために図４に示すようなネットワーク構成を想定する。ドナーｅＮｏｄｅＢ４１０がＬ１／Ｌ２制御およびデータをマクロユーザ機器（ＵＥ１）４１５と、リレー（中継ノード）４２０に送信し、中継ノード４２０はＬ１／Ｌ２制御およびデータを中継ユーザ機器（ＵＥ２）４２５に送信する。さらに、中継ノードが、送信動作と受信動作が同時には行われない時分割モードで動作すると想定する。中継ノードが「送信」モードにある時にはＵＥ２は常にＬ１／Ｌ２の制御チャネルおよびＰＤＳＣＨを受信する必要があるのに対し、中継ノードが「受信」モードにある時、すなわちＮｏｄｅ  ＢからＬ１／Ｌ２制御チャネルおよびＰＤＳＣＨを受信している時には、ＵＥ２に送信を行うことはできない。したがってＵＥ２はそのようなサブフレームでは中継ノードから情報を受信することはできない。ＵＥ２が、自身が中継ノードに接続されていることを認識しない場合（例えばリリース８のＵＥ）、中継ノード４２０は、通常の（ｅ）ＮｏｄeＢとして振る舞わなければならない。当業者には理解されるように、中継ノードを有さない通信システムでは、ユーザ機器は常に少なくともＬ１／Ｌ２制御信号がすべてのサブフレームに存在すると想定することができる。中継ノード下で動作するそのようなユーザ機器をサポートするために、中継ノードはすべてのサブフレームでそのような期待される振る舞いを装わなければならない。
【００３５】
図２および図３に示すように、各ダウンリンクサブフレームは、制御チャネル領域とデータ領域の２つの部分からなる。図５に、中継バックホール送信が行われる状況で中継アクセス・リンクのＭＢＳＦＮフレームを構成する例を示す。各サブフレームは、制御データ部分５１０、５２０およびデータ部分５３０、５４０を含む。ＭＢＳＦＮサブフレーム中の先頭のＯＦＤＭシンボル７２０は、中継ノード４２０が制御シンボルをｒ−ＵＥ４２５に送信するために使用される。サブフレームの残りの部分で、中継ノードは、ドナーｅＮｏｄｅＢ４１０からのデータ５４０を受信することができる。したがって、同じサブフレームで中継ノード４２０からｒ−ＵＥ４２５への送信を行うことはできない。ｒ−ＵＥは、１番目から２番目のＯＦＤＭ制御シンボルを受信し、サブフレームの残りの部分は無視する。非ＭＢＳＦＮのサブフレームは中継ノード４２０からｒ−ＵＥ５２５に送信され、制御シンボル５１０とデータシンボル５３０はｒ−ＵＥ４２５で処理される。ＭＢＳＦＮサブフレームは、１０ｍｓごとまたは４０ｍｓごとに設定することができる。したがって、中継バックホール・ダウンリンクサブフレームも１０ｍｓおよび４０ｍｓ両方の設定に対応する。ＭＢＳＦＮサブフレームの構成と同様に、中継バックホール・ダウンリンクサブフレームは＃０、＃４、＃５、および＃９のサブフレームには設定することができない。バックホールＤＬサブフレームとして設定することができないサブフレームは、「イリーガル（illegal）ＤＬサブフレーム」と呼ばれる。したがって、中継ＤＬバックホール・サブフレームは、ｄ−ｅＮＢ側では通常のサブフレームである場合もＭＢＳＦＮサブフレームである場合もある。現在、ｅＮＢ４１０から中継ノード４２０へのダウンリンク・バックホール送信を行うことができる中継バックホールＤＬサブフレームは準静的に割り当てることが合意されている。中継ノード４２０からｅＮＢ４１０へのアップリンクのバックホール送信を行うことができる中継バックホールＵＬサブフレームは、準静的に割り当てられるか、中継バックホールＤＬサブフレームからＨＡＲＱタイミングにより暗黙的に導出される。
【００３６】
ＭＢＳＦＮサブフレームは中継ノードでダウンリンク・バックホール・ダウンリンクサブフレームとして設定されるため、中継ノードはドナーｅＮｏｄｅＢからＰＤＣＣＨを受信することはできない。したがって、新たな物理制御チャネル（Ｒ−ＰＤＣＣＨ）を使用してダウンリンクおよびアップリンクのバックホール・データのために準静的に割り当てられたサブフレーム内で動的または「半恒久的」にリソースを割り当てる。ダウンリンクのバックホール・データは、新たな物理データチャネル（Ｒ−ＰＤＳＣＨ）で送信され、アップリンクのバックホール・データは、新たな物理データチャネル（Ｒ−ＰＵＳＣＨ）で送信される。中継ノードのＲ−ＰＤＣＣＨは、サブフレームのＰＤＳＣＨ領域内のＲ−ＰＤＣＣＨ領域にマッピングされる。中継ノードは、サブフレームのその領域でＲ−ＰＤＣＣＨを受信することを予想する。時間領域では、Ｒ−ＰＤＣＣＨ領域は、設定されたダウンリンク・バックホール・サブフレームに渡る。周波数領域では、Ｒ−ＰＤＣＣＨ領域は、上位レイヤのシグナリングにより中継ノードに対して予め設定された特定のリソースブロックに存在する。サブフレーム内のＲ−ＰＤＣＣＨ領域の設計および使用に関しては、標準化で以下の特徴が合意されている。
−Ｒ−ＰＤＣＣＨは、送信のために準静的に割り当てられたＰＲＢである。さらに、その準静的に割り当てられたＰＲＢ内でＲ−ＰＤＣＣＨの送信に現在使用すべきリソースのセットは、サブフレーム間で動的に変化してよい。
−動的に設定可能なリソースは、バックホール・リンクに利用可能なＯＦＤＭシンボルの全セットをカバーするか、またはそのサブセットに制約される。
−準静的に割り当てられたＰＲＢ内でＲ−ＰＤＣＣＨに使用されないリソースは、Ｒ−ＰＤＳＣＨまたはＰＤＳＣＨの伝送に使用することができる。
−ＭＢＳＦＮサブフレームの場合は、中継ノードが制御信号をｒ−ＵＥに送信する。すると、中継ノードがドナーｅＮｏｄｅＢから送信されたデータを同じサブフレームで受信できるように、送信モードから受信モードに切り替えることが必要となる可能性がある。このギャップに加えて、ドナーｅＮｏｄｅＢと中継ノードとの間の信号の伝搬遅延を考慮しなければならない。したがって、Ｒ−ＰＤＣＣＨは、最初は、中継ノードが受信するにはサブフレーム中で充分に遅いＯＦＤＭシンボルから送信される。
−物理リソースへのＲ−ＰＤＣＣＨのマッピングは、周波数分散方式で行っても周波数局所方式で行ってもよい。
−限られた数のＰＲＢの中でＲ−ＰＤＣＣＨをインターリーブすることにより、ダイバーシティゲインが得られ、同時に無駄になるＰＲＢの数を制限する。
−非ＭＢＳＦＮサブフレームでは、ＥＮｏｄｅＢによってＤＭ−ＲＳが設定される場合にはリリース１０のＤＭ−ＲＳが使用される。そうでない場合はリリース８のＣＲＳが使用される。ＭＢＳＦＮサブフレームではリリース１０のＤＭ−ＲＳが使用される。
−Ｒ−ＰＤＣＣＨは、バックホール・リンクのダウンリンク・グラントまたはアップリンク・グラントの割り当てに使用することができる。ダウンリンク・グラントのサーチスペースとアップリンク・グラントのサーチスペースの境界は、サブフレームのスロット境界である。具体的には、ダウンリンク・グラントはサブフレームの第１スロットのみで送信され、アップリンク・グラントは第２スロットのみで送信される。
−ＤＭ−ＲＳで復調する際にはインターリーブは適用されない。ＣＲＳで復調する際には、ＲＥＧレベルのインターリーブとインターリーブなしの両方がサポートされている。
【００３７】
中継バックホールＲ−ＰＤＣＣＨのサーチスペースは、中継ノード４２０がＲ−ＰＤＣＣＨの受信を予期する領域である。時間領域では、設定されたＤＬのバックホール・サブフレームに存在する。周波数領域では、上位レイヤのシグナリングにより中継ノード４２０のために設定された特定のリソースブロックに存在する。Ｒ−ＰＤＣＣＨは、バックホール・リンクのＤＬグラントまたはＵＬグラントを割り当てるために使用することができる。
【００３８】
クロスインターリーブ（cross-interleaving）を行わない場合の中継バックホールＲ−ＰＤＣＣＨの特性に関してＲＡＮ１で達した合意によると、ＵＥ固有のサーチスペースは次のような特性を有する。
−各Ｒ−ＰＤＣＣＨ候補は連続したＶＲＢを含む。
−ＶＲＢのセットは、リソース割当タイプ０、１、または２を使用して上位レイヤで設定される。
−ＶＲＢの同じセットが、第１スロット及び第２スロットに存在する可能性のあるＲ−ＰＤＣＣＨに対して設定される。
−ＤＬグラントは第１スロットのみで受信され、ＵＬグラントは第２スロットのみで受信される。
−それぞれのアグリゲーションレベル｛１，２，４，８｝の候補の数は｛６，６，２，２｝である。
【００３９】
クロスインターリーブを行わないＲ−ＰＤＣＣＨとは、所定のＰＲＢで他のＲ−ＰＤＣＣＨとクロスにインターリーブされずに、１つまたは数個のＰＲＢで送信されるＲ−ＰＤＣＣＨを意味する。周波数領域では、ＶＲＢのセットは、非特許文献９（http://www.3gpp.org/で入手可能。その内容は本明細書に援用される。）に従って、リソース割当タイプ０、１、または２を使用して、上位レイヤで設定される。ＶＲＢのセットが、分散型のＶＲＢからＰＲＢへのマッピングを有するリソース割当タイプ２で設定される場合は、偶数のスロット番号についての非特許文献２のSection 6.2.3.2の規定が常に適用される。詳細は、非特許文献２（http://www.3gpp.org/で入手可能）で得ることができ、その内容は本明細書に援用される。
【００４０】
図６に、クロスインターリーブされていないＲ−ＰＤＣＣＨの場合のＲ−ＰＤＣＣＨのダウンリンク・グラントおよびアップリンク・グラントのサーチスペースの例を示す。この例では、キャリアアグリゲーションおよびクロスキャリアスケジューリングは想定しない。この例ではＤＬグラントとＵＬグラントのサーチスペースに同じＶＲＢが設定される。ＤＬグラントのサーチスペースは第１スロットのみにあり、ＵＬグラントのサーチスペースは第２スロットのみにある。具体的には、図６は、第１スロット６１０および第２スロット６２０を概略的に示し、行は、異なるサブキャリア（すなわち周波数領域）のＶＲＢのペアを表す。異なる大きさの楕円は、異なるアグリゲーションレベルについてのアップリンクおよびダウンリンク・グラントのサーチスペースそれぞれの候補を表す。例えば、アグリゲーションレベル１の候補６０１は１つのＶＲＢを占め、アグリゲーションレベル２の候補６０２は２つのＶＲＢを占め、アグリゲーションレベル４の候補６０４は４つのＶＲＢを占め、アグリゲーションレベル８の候補６０８は８つのＶＲＢを占める。
【００４１】
Ｒ−ＰＤＣＣＨ／Ｒ−ＰＤＳＣＨの多重化に関してＲＡＮ１で達した合意によると、Ｒ−ＰＤＣＣＨ  ＰＲＢペアの２番目のスロットは、そのＰＲＢペアの１番目のスロットでＤＬグラントの少なくとも一部を受信する中継ノードのためのデータチャネルに割り当てることができる。具体的には、中継ノードが、ＤＬグラントが１番目のスロットで検出されるＰＲＢのペアと重複するリソース割当を受信した場合、中継ノードは、そのＰＲＢペアの２番目のスロットで自身へのＰＤＳＣＨデータの送信があるものと見なす。そうでない場合、中継ノードは、そのＰＲＢペアの２番目のスロットに自身へのデータ送信はないものと見なし、ＤＣＩフォーマットの変更はないものと見なす。中継ノードが１番目のスロットにＤＬグラントの少なくとも一部を検出するＲ−ＰＤＣＣＨ  ＰＲＢペアについては、中継ノードは、そのＲ−ＰＤＣＣＨ  ＰＲＢペアの１番目のスロットはデータ送信に使用されないと見なす。
【先行技術文献】
【非特許文献】
【００４２】
【非特許文献１】3GPP TR 25.913, “Requirements for evolved UTRA (E-UTRA) and evolved UTRAN (E-UTRAN),” v8.0.0, January 2009
【非特許文献２】3GPP TS 36.211, “Evolved universal terrestrial radio access (E-UTRA); physical channels and modulations (Release 8)”, version 8.9.0, December 2009, Section 6.2
【非特許文献３】3GPP TS 36.213 “Evolved Universal terrestrial Radio Access (E-UTRA); Physical layer procedures”, v8.8.0, September 2009, Section 7.1.6.1
【非特許文献４】3GPP TS 36.300 “Evolved Universal terrestrial Radio Access (E-UTRA) and Universal terrestrial Radio Access Network (E-UTRAN); Overall description”, v10.2.0, December 2010, Section 5.5 (Physical layer), Section 6.4 (Layer 2) and Section 7.5 (RRC)
【非特許文献５】3GPP TS 36.331 “Evolved Universal terrestrial Radio Access (E-UTRA); Radio Resource Control (RRC); Protocol specification”, v10.0.0, December 2010
【非特許文献６】3GPP TS 36.331 “Evolved Universal terrestrial Radio Access (E-UTRA); Radio Resource Control (RRC); Protocol specification”, v9.5.0, December 2010, Section 5.2
【非特許文献７】3GPP TS 36.212 v10.0.0, Section 5.3.3.1
【非特許文献８】3GPP TS 36.213 “Evolved Universal terrestrial Radio Access (E-UTRA); Physical Layer procedures”, v10.0.0, December 2010, Section 9.1.1
【非特許文献９】Section 7.1.6 of 3GPP TS 36.213 “Evolved Universal terrestrial Radio Access (E-UTRA); Physical layer procedures”, v8.8.0, September 2009
【発明の概要】
【発明が解決しようとする課題】
【００４３】
上記規則に基づき、図７に様々な割当事例を示す。具体的には、図７は、（ａ）の部分に、図６にも示すダウンリンクおよびアップリンク・グラントサーチスペースのより狭い範囲を示す。図７の（ｂ）、（ｃ）、（ｄ）の部分は、様々なダウンリンクおよびアップリンク・グラント割当の事例におけるＰＲＢの利用例を示す。これらの例では、ダウンリンク・グラントおよびアップリンク・グラントはアグリゲーションレベル２の候補を使用するものとする。（ｂ）の割当例１では、ダウンリンク・グラント７０２のみが割り当てられ、したがって第２スロットをＰＤＳＣＨ７２０に使用することができる。（ｃ）の割当例２では、アップリンク・グラント７０３のみが割り当てられる。したがって、第１スロットの対応するＰＲＢ７３０が無駄になる。（ｄ）の割当例３では、ダウンリンク７４１およびアップリンク７４２両方のグラントが割り当てられる。そのためそれらを同じＰＲＢのペアで割り当てることができ、ＰＲＢが無駄にならない。
【００４４】
中継バックホール・リンクでキャリアアグリゲーションがサポートされる場合には、Ｒ−ＰＤＣＣＨのサーチスペースもキャリアアグリゲーションに対応できなければならない。クロスキャリアスケジューリングを行わない場合は、各コンポーネントキャリア（ＣＣ）にＲ−ＰＤＣＣＨ領域がある。したがって、キャリアアグリゲーションを行わない場合に適用されるＲ−ＰＤＣＣＨサーチスペースの設計を再利用することができる。しかし、クロスキャリアスケジューリングの場合は、１つのＣＣに２つ以上のＲ−ＰＤＣＣＨ  ＤＬおよび／またはＵＬグラントサーチスペースがある。そのためＲ−ＰＤＣＣＨサーチスペースの設計を容易に再利用することができない。
【課題を解決するための手段】
【００４５】
上記を鑑み、本発明の目的は、共有されるチャネルのアップリンク・グラントおよびダウンリンク・グラント（または割り当て（assignment））を含む可能性がある制御情報を受信機、具体的には中継ノードに通知することができるサーチスペースを構成する効率的な方式を提供することである。
【００４６】
この目的は、独立請求項の特徴により達成される。
【００４７】
本発明の有利な実施形態は従属請求項に準拠する。
【００４８】
本発明の特有の手法は、第１のスロットが複数のコンポーネントキャリアそれぞれについての制御情報をブラインド検出するためのサーチスペースを含み、第２スロットが、別のコンポーネントキャリアに関連する制御情報のサーチスペースを含むサーチスペースの構成を提供することであり、第２のスロットのサーチスペースの候補は、第１のスロットのサーチスペースの候補と同じリソースブロックにマッピングされる。
【００４９】
この手法では、第２のスロット中の１つのＵＬグラントを第１のスロットにある１つのＤＬグラントと同じリソースブロックに割り当てることができ、ＵＬグラントとＤＬグラントは、システム情報で互いに関連付けられていないＵＥ固有のサーチスペースに属することができる。これにより、ＵＬグラントとＤＬグラントを同じリソースブロックに割り当てることができる確率が増す。そのため、第１のスロットまたは第２のスロットのリソースブロックが無駄にならない。リソースブロックの無駄は、リソースブロックペア中に１つのみのＵＬグラントまたはＤＬグラントがある時に生じることがある。
【００５０】
本発明の一態様によると、キャリアアグリゲーションをサポートするマルチキャリア通信システムのサブフレーム内で制御情報を受信し、制御情報は異なるコンポーネントキャリアに関連し、受信ノードで行われる方法が提供され、送信ノードから第１および第２のスロットを含むサブフレームを受信するステップであって、サブフレームは、周波数領域において１つのコンポーネントキャリアのサブキャリアに複数のリソースブロックペアを有し、各ペアは、第１のスロットのリソースブロックと第２のスロットのリソースブロックとからなる、ステップと、第１のスロット内の第１のサーチスペース、第２のスロット内の第２のサーチスペース、および、第１のスロット内の第３のサーチスペースにおいて、制御情報のブラインド検出を行うステップであって、第１、第２および第３のサーチスペースは、１つまたは複数のリソースブロックに含まれる各候補にさらに分割され、ブラインド検出は複数の候補について行われる、ステップとを含み、第１または第３のサーチスペースの少なくとも１つの候補は、第２のサーチスペースの少なくとも１つの候補と同じリソースブロックペアにあり、第１のサーチスペースは第１のコンポーネントキャリアによって決定され、第２のサーチスペースは第２のコンポーネントキャリアによって決定され、第３のサーチスペースは第３のコンポーネントキャリアによって決定される。
【００５１】
本発明の別の態様によると、キャリアアグリゲーションをサポートするマルチキャリア通信システムのサブフレーム内で少なくとも１つの受信ノードに対する制御情報を送信し、制御情報は異なるコンポーネントキャリアに関連し、送信ノードで行われる方法が提供され、受信ノードのための制御情報領域を、第１のスロット内の第１のサーチスペース、第２のスロット内の第２のサーチスペース、および第１のスロット内の第３のサーチスペースにマッピングするステップであって、第１および第２のスロットはサブフレーム内に含まれ、サブフレームは、周波数領域において１つのコンポーネントキャリアのサブキャリアに複数のリソースブロックペアを有し、各ペアは、第１のスロットのリソースブロックと第２のスロットのリソースブロックとからなり、サーチスペースは、受信ノードがブラインド検出を行うリソースを含み、第１、第２および第３のサーチスペースは１つまたは複数のリソースブロックに含まれる各候補にさらに分割され、ブラインド検出は複数の候補について行われ、第１または第３のサーチスペースの少なくとも１つの候補が、第２のサーチスペースの少なくとも１つの候補と同じリソースブロックペアにあり、第１のサーチスペースは第１のコンポーネントキャリアによって決定され、第２のサーチスペースは第２のコンポーネントキャリアによって決定され、第３のサーチスペースは第３のコンポーネントキャリアによって決定される、ステップと、サブフレームを少なくとも１つの受信ノードに送信するステップとを含む。本発明では、リソースブロックペアは、上記ＬＴＥシステムの場合について説明したようにＶＲＢをＰＲＢに局所的または分散させてマッピングした結果である物理リソースブロックペアとすることができる。例えば、ＤＶＲＢのマッピング、すなわち分散型のＶＲＢとＰＲＢとのマッピングでは、ＶＲＢペアが同じサブキャリアにないことがあり得る。局所的なマッピングでは、ＶＲＢをマッピングした後のＰＲＢペアが同じサブキャリアを共有する。背景技術で述べたように、制御情報は、リソースブロック、具体的にはＣＣＥ又は複数のＣＣＥの集まりなどのリソースブロックの一部に含められる。受信ノードによってモニタすべきＣＣＥは、可能性としてはサイズ（「アグリゲーションレベル」と呼ぶ）が異なる候補を形成する。モニタ対象候補が受信ノードのサーチスペースを形成する。ここで、ＣＣＥは、ＲＥの数を固定するＲｅｌ−８／９／１０のＣＣＥの定義には制約されない。ここで、ＣＣＥは、制御情報のアグリゲーション単位とすることができる。Ｒｅｌ−８／９／１０のＣＣＥであっても、制御情報送信のために１つのリソースブロック中で利用可能なＲＥであってもよい。
【００５２】
本発明の一実施形態によると、候補は、アグリゲーションレベル（「サイズ」とも呼ぶ）１、２、４、または８の候補であり、かつ／または第１のスロットは、ダウンリンクのコンポーネントキャリアのスケジューリングに関連するシグナリング情報を伝送し、第２のスロットは、アップリンクのコンポーネントキャリアのスケジューリングに関連するシグナリング情報を伝送する。
【００５３】
有利には、サブフレームの第１のスロットは、複数のコンポーネントキャリアに関連する複数のサーチスペースを含み、第２のスロット内の第２のサーチスペースの候補は、第１のスロット内にある複数のサーチスペースの各サーチスペースについて、第２のサーチスペースの少なくとも１つの候補が、複数のサーチスペースのうちのサーチスペースの候補と同じリソースブロックペアにマッピングされるように構成される。
【００５４】
具体的には、第１のスロットの異なるサーチスペースのリソースブロックペアにマッピングされた第２のサーチスペースの候補は、第１のスロットのサーチスペースの先頭に対して異なる量のリソースブロックだけシフトされる。
【００５５】
さらに、第２のスロット内の第２のサーチスペースの候補は、第１のスロットの各サーチスペースにマッピングされる所定サイズの候補数が同じになるように、第１のスロットの各サーチスペースに対して分散することができる。
【００５６】
代替として、第２のスロット内の第２のサーチスペースの候補は、第１のサーチスペースにマッピングされた所定サイズの候補数が、第１のスロット内の別のサーチスペースにマッピングされた所定サイズの候補数よりも多くなるように、第１のスロットの各サーチスペースに対して分散される。
【００５７】
さらなる代替として、第２のスロット内の第２のサーチスペースの候補は、各サイズの少なくとも１つの候補が、システム情報において第２のコンポーネントキャリアに関連付けられたコンポーネントキャリアに関する第１のスロット内のサーチスペースにマッピングされるように、第１のスロットの各サーチスペースに対して分散される。
【００５８】
本発明の一実施形態によると、第２のスロット内の第２のサーチスペースの候補は、リソースブロック領域内で連続的にマッピングされる。
【００５９】
本発明の一実施形態によると、第２のサーチスペースのすべての候補は、第１のサーチスペースの候補と同じリソースブロックペアにマッピングされる。
【００６０】
有利には、請求項６に記載の方法によれば、第２のスロット内の第２のサーチスペースの候補は、第２のサーチスペースの少なくとも２つの候補が異なるフォーマットの制御情報をシグナリングするように、制御情報のフォーマットに従って第１のスロットの各サーチスペースに対して分散される。
【００６１】
具体的には、受信ノードは３ＧＰＰ  ＬＴＥに基づくシステム内の中継ノードであり、送信ノードはドナーｅＮｏｄｅＢであり、物理ダウンリンク制御チャネルは、時間領域で物理リソースブロックがインターリーブされないＲ−ＰＤＣＣＨである。
【００６２】
本発明のさらなる態様によると、キャリアアグリゲーションをサポートするマルチキャリア通信システムのサブフレーム内で制御情報を受信する受信装置が提供され、制御情報は異なるコンポーネントキャリアに関連し、送信ノードから第１および第２のスロットを含むサブフレームを受信し、前記サブフレームは、周波数領域において１つのコンポーネントキャリアのサブキャリアに複数のリソースブロックペアを有し、各ペアは、前記第１のスロットのリソースブロックと前記第２のスロットのリソースブロックとからなる、受信部と、前記第１のスロット内の第１のサーチスペース、前記第２のスロット内の第２のサーチスペース、および前記第１のスロット内の第３のサーチスペースにおいて、前記制御情報のブラインド検出を行い、前記第１、第２、および第３のサーチスペースは、１つまたは複数のリソースブロックに含まれる各候補にさらに分割され、前記ブラインド検出は複数の前記候補について行われる、検出部と、を備え、前記第１または第３のサーチスペースの少なくとも１つの候補は、前記第２のサーチスペースの少なくとも１つの候補と同じリソースブロックペアにあり、前記第１のサーチスペースは第１のコンポーネントキャリアによって決定され、前記第２のサーチスペースは第２のコンポーネントキャリアによって決定され、前記第３のサーチスペースは第３のコンポーネントキャリアによって決定される。
【００６３】
本発明のさらに別の態様によると、キャリアアグリゲーションをサポートするマルチキャリア通信システムのサブフレーム内で少なくとも１つの受信ノードに対する制御情報を送信する送信装置が提供され、制御情報は異なるコンポーネントキャリアに関連し、受信ノードのための制御情報領域を、第１のスロット内の第１のサーチスペース、第２のスロット内の第２のサーチスペース、および前記第１のスロット内の第３のサーチスペースにマッピングするマッピング部であって、前記第１および前記第２のスロットは前記サブフレーム内に含まれ、前記サブフレームは、周波数領域において１つのコンポーネントキャリアのサブキャリアに複数のリソースブロックペアを有し、各ペアは、前記第１のスロットのリソースブロックと前記第２のスロットのリソースブロックとからなり、前記サーチスペースは、受信ノードがブラインド検出を行うリソースを含み、前記第１、第２、および第３のサーチスペースは、１つまたは複数のリソースブロックに含まれる各候補にさらに分割され、前記ブラインド検出は複数の前記候補について行われ、前記第１または第３のサーチスペースの少なくとも１つの候補は、前記第２のサーチスペースの少なくとも１つの候補と同じリソースブロックペアにあり、前記第１のサーチスペースは第１のコンポーネントキャリアによって決定され、前記第２のサーチスペースは第２のコンポーネントキャリアによって決定され、前記第３のサーチスペースは第３のコンポーネントキャリアによって決定され、前記サブフレームを前記少なくとも１つの受信ノードに送信する送信部とを備える。
【００６４】
本発明のさらに別の態様によると、キャリアアグリゲーションをサポートするマルチキャリア通信システムのサブフレーム内で少なくとも１つの受信ノードに対する制御情報を伝送するためのチャネル構造が提供され、制御情報は異なるコンポーネントキャリアに関連し、サブフレームは第１および第２のスロットを含み、サブフレームは、周波数領域において１つのコンポーネントキャリアのサブキャリアに複数のリソースブロックペアを有し、各ペアは、第１のスロットのリソースブロックと第２のスロットのリソースブロックとからなり、制御情報は、第１のスロット内の第１のサーチスペース、第２のスロット内の第２のサーチスペース、および第１のスロット内の第３のサーチスペースにマッピングされ、第１、第２、および第３のサーチスペースは、論理的に、１つまたは複数のリソースブロックに含まれる各候補にさらに分割され、第１または第３のサーチスペースの少なくとも１つの候補が、第２のサーチスペースの少なくとも１つの候補と同じリソースブロックペアにあり、第１のサーチスペースは第１のコンポーネントキャリアによって決定され、第２のサーチスペースは第２のコンポーネントキャリアによって決定され、第３のサーチスペースは第３のコンポーネントキャリアによって決定される。
【００６５】
本発明の別の態様によると、コンピュータ可読のプログラムコードが実装されたコンピュータ可読媒体を含むコンピュータプログラム製品が提供され、プログラムコードは本発明を実施するように構成される。
【００６６】
本発明の上記およびその他の目的および特徴は、添付図面との関連で与えられる以下の説明および好ましい実施形態からより明らかになろう。
【図面の簡単な説明】
【００６７】
【図１】３ＧＰＰ  ＬＴＥリリース８に定義されたサブフレームの２つのダウンリンク・スロットのうち１つの例示的なダウンリンクのコンポーネントキャリアを示す概略図
【図２】３ＧＰＰ  ＬＴＥリリース８および３ＧＰＰ  ＬＴＥ−Ａリリース１０に定義された非ＭＢＳＦＮサブフレームおよび物理リソースブロックペアの構造を示す概略図
【図３】３ＧＰＰ  ＬＴＥリリース８および３ＧＰＰ  ＬＴＥ−Ａリリース１０に定義されたＭＢＳＦＮサブフレームおよび物理リソースブロックペアの構造を示す概略図
【図４】ドナーｅＮｏｄｅＢ、中継ノード、および２つのユーザ機器を含む例示的なネットワーク構成の概略図
【図５】３ＧＰＰ  ＬＴＥ−Ａリリース１０で使用される中継バックホール・ダウンリンクサブフレーム構成の構造の一例を示す概略図
【図６】ＣＣ間スケジューリングを行わない場合のダウンリンクおよびアップリンク・グラントのサーチスペースを表す概略図
【図７】ＣＣ間スケジューリングを行わない場合の種々のダウンリンク／アップリンク・グラントの割り当て事例におけるリソース割当の可能性を説明する概略図
【図８】ＣＣ間スケジューリングを行う場合のダウンリンク・グラントサーチスペースの例を示す概略図
【図９】ダウンリンクのＰＣＣとアップリンクのＰＣＣがシステム情報で関連付けされる場合の図８のダウンリンク・グラントサーチスペース構成に対応するアップリンク・グラントサーチスペースの構成の例を示す概略図
【図１０】図９のサーチスペース構成の場合の種々のダウンリンク／アップリンク・グラントの割当例におけるリソース割当の可能性を説明する概略図
【図１１】図８のダウンリンク・グラントサーチスペース構成の場合の本発明の一実施形態による分散型のアップリンク・グラントサーチスペースの構成を説明する概略図
【図１２】２つの３ＣＣを含むダウンリンク・グラントサーチスペース構成の場合の本発明の一実施形態による分散型のアップリンク・グラントサーチスペース構成を説明する概略図
【図１３】図１１のサーチスペース構成に対応する種々のダウンリンク／アップリンク・グラント割当例におけるリソース割当の可能性を説明する概略図
【図１４】図８のダウンリンクＣＣサーチスペースの構成に対応する本発明の一実施形態によるダウンリンク・グラントサーチスペースの構成の場合の分散かつ位置をシフトさせたアップリンク・グラントサーチスペースの構成を示す概略図
【図１５】２つの連続したダウンリンク・グラントサーチスペースがある場合の本発明の一実施形態による分散型のアップリンク・グラントサーチスペースの構成を説明する概略図
【図１６】対称形のアップリンクＣＣおよびダウンリンクＣＣの場合における図８のダウンリンク・グラントサーチスペース構成に対応する本発明の一実施形態による２つの分散型アップリンク・グラントサーチスペースを説明する概略図
【図１７】図８のダウンリンク・グラントサーチスペース構成に対応する本発明の一実施形態によるアップリンク・グラントサーチスペース構成の概略図
【図１８】図１７のサーチスペース構成に対応する種々のダウンリンク／アップリンク・グラント割当例におけるリソース割当の可能性を説明する概略図
【図１９】図８のダウンリンク・グラントサーチスペースの構成に対応する本発明の一実施形態による分散型のアップリンク・グラントサーチスペースの構成を示す概略図
【図２０】２つの連続したダウンリンク・グラントサーチスペースがある場合の本発明の一実施形態による分散型のアップリンク・グラントサーチスペースの構成を説明する概略図
【図２１】本発明の一実施形態による、３つのダウンリンク・グラントサーチスペースがある場合の分散かつ位置をシフトさせたアップリンク・グラントサーチスペースの構成を説明する概略図
【図２２】３つのダウンリンク・グラントサーチスペースがある場合の本発明の一実施形態によるＤＣＩを考慮する分散型のアップリンク・グラントサーチスペースを説明する概略図
【図２３】選択されたサーチスペースの構成の場合のリソース割当の効率を要約した表
【図２４】選択されたサーチスペースの構成の場合のリソース割当の効率を要約した表
【図２５】本発明の一実施形態による受信ノードと送信ノード間の制御情報の送信と受信を説明するフロー図
【発明を実施するための形態】
【００６８】
本発明の目的は、キャリアアグリゲーションをサポートするシステム内で制御情報をブラインド検出するためのサーチスペースの構成を提供することである。
【００６９】
これは、サブフレームの第１スロットに第１および第３のサーチスペースを提供し、そのサブフレームの第２スロットに第２のサーチスペースを提供することによって実現され、それらのサーチスペースにおけるブラインド検出の候補は、第１スロットのサーチスペースの少なくとも１つの候補が、第２スロットのサーチスペースにある候補と同じリソースブロックペアにマッピングされるように配置される。
【００７０】
第１スロットは、ダウンリンクのコンポーネントキャリアによって決定されるサーチスペース用とし、第２スロットは、アップリンクのコンポーネントキャリアによって決定される１つまたは複数のサーチスペース用とすることができる。
【００７１】
具体的には、本発明は、１サブフレームが時間領域に２つのスロットを含むシステムに適し、各スロットは、時間領域の複数のＯＦＤＭシンボルを含み、スロットは、各々が複数のサブキャリアを有する複数のリソースブロックに周波数領域で定義される。ブラインド検出の候補は、１つまたは複数のサブキャリア、および、１つまたは複数のＯＦＤＭシンボルにあるリソースブロック中に定義されたリソースエレメントである。候補は、複数の物理リソースブロック内に含めるか、または１つの物理リソースブロックに含めることができる。ここで、用語「含める」は、リソースブロック内のいくつかのリソースエレメントが割り当てられることを意味する。
【００７２】
サーチスペースはコンポーネントキャリアによって決定される。これは、サーチスペースの候補が、そのコンポーネントキャリアについての制御情報をブラインド検出する際にモニタされることを意味する。サーチスペースの位置もコンポーネントキャリアによって決定される。異なるコンポーネントキャリアのサーチスペースは互いに完全にまたは部分的に重なる可能性がある。１つの候補が異なる複数のコンポーネントキャリアについての制御情報を伝送することもできる。
【００７３】
受信ノードと送信ノードはネットワーク内の任意の２つのノードであってよい。例えば、受信ノードは端末であり、送信ノードは移動通信システム内の基地局などのネットワークノードである。それに代えて、またはそれに加えて、受信ノードは中継ノードであり、送信ノードは基地局等のネットワークノードであってもよい。
【００７４】
キャリアアグリゲーションをサポートするシステムとは、一般に、ＯＦＤＭ通信などのマルチキャリア通信が複数のコンポーネントキャリアにおいて並行して実行されるシステムを言い、各コンポーネントキャリアは、周波数領域のＯＦＤＭシステムのサブキャリアおよび時間領域のシンボルを含む専用のリソースグリッドを有する。したがって、コンポーネントキャリアは、各自の独立したリソースセットを有するため、セルと呼ばれることもある。１つのセルは、１つのダウンリンクのコンポーネントキャリアと、可能性としては１つのアップリンクのコンポーネントキャリアとの組み合わせである。各セルは、独自のセルＩＤとシステム情報を有する。ＵＥはアクティブなサービングセルのセットを有することができる。セルは、上位レイヤのシグナリングにより動作状態および非動作状態にすることができる。
【００７５】
以下の段落では本発明の各種実施形態を説明する。例示の目的のみで、実施形態の大半は、上記の背景技術の項で述べた３ＧＰＰ  ＬＴＥ（リリース８）およびＬＴＥ−Ａ（リリース１０）の移動通信システムによるＯＦＤＭダウンリンク無線アクセス方式との関連で概説する。本発明は例えば上記で説明した３ＧＰＰ  ＬＴＥ（リリース８）およびＬＴＥ−Ａ（リリース１０）の通信システムなどの移動通信システムとの関連で有利に使用することができる。ただし、本発明は、この特定の例示的通信ネットワークでの使用に限定されないことに留意されたい。本明細書に記載される本発明の態様は、特に、主に３ＧＰＰ  ＬＴＥ−Ａ（リリース１０）通信システムの中継ノードまたはＵＥなどの受信機に割り当ておよびグラントを伝送するアップリンクおよびダウンリンクの制御情報（Ｒ−ＰＤＣＣＨ）のためのサーチスペースを定義し、ダウンリンクサーチスペース（具体的には個々のリソースブロックおよびそのリソースブロックグループ）にマッピングされたＲ−ＰＤＣＣＨデータの点で効率的なリソース利用を提供するために使用することができる。上記の背景技術の項での説明は、本明細書に記載される主として３ＧＰＰ  ＬＴＥ（リリース８）およびＬＴＥ−Ａ（リリース１０）に特有の例示的実施形態をよりよく理解することを目的としたものであり、本発明を、記載される移動通信ネットワークにおける処理および機能の具体的な実装に限定するものとは解釈すべきでない。具体的には、本発明は、固定されたｅＮｏｄｅＢと固定された中継ノードの間など、通信ネットワークの２つの非移動ノード間の通信に適用することができる。
【００７６】
さらに、以下で述べるように、第１のサーチスペースはＤＬ  ＳＣＣのサーチスペースを指し、第２のサーチスペースはＵＬ  ＰＣＣのサーチスペースを指し、第３の空間はＤＬ  ＰＣＣのサーチスペースを指す。
【００７７】
図８に、クロスコンポーネントキャリアスケジューリング（ＣＣ間スケジューリング）が適用される場合の第１スロット８１０および第２スロット８２０の一部を示す。この例では、２つのダウンリンクのコンポーネントキャリア、すなわちＤＬ  ＰＣＣおよびＤＬ  ＳＣＣと、１つのアップリンクのコンポーネントキャリア、すなわちＵＬ  ＰＣＣがＤＬ  ＰＣＣでスケジューリングされる。２つのＤＬコンポーネントキャリアそれぞれのダウンリンク・グラントのサーチスペースは別々に設定されるものとする。ＤＬ  ＰＣＣおよびＤＬ  ＳＣＣの２つのダウンリンク・グラントサーチスペースは全く重複せずに設定される。ただし、これら２つのダウンリンク・グラントサーチスペースは、ネットワークの実装によっては、部分的に重複するように、さらには完全に重複するように設定してもよいことに留意されたい。問題は、第２スロット８２０にＵＬ  ＰＣＣのサーチスペースをどのように設定するかということになる。
【００７８】
可能な解決法の１つは、システム情報によって関連付けられたダウンリンクおよびアップリンクのコンポーネントキャリアの、ダウンリンクのグラントサーチスペースとアップリンク・グラントサーチスペースとを位置合わせする。そのような構成の一例を図９に示す。この例では、システム情報によってＤＬ  ＰＣＣがＵＬ  ＰＣＣに関連付けられるものとする。ＤＬ  ＰＣＣでは、ＤＬ  ＰＣＣのダウンリンク・グラント、ＤＬ  ＳＣＣのダウンリンク・グラント、およびＵＬ  ＰＣＣのアップリンク・グラントがスケジューリングされる。図９では、ＵＬ  ＰＣＣのアップリンク・グラントのサーチスペースがＤＬ  ＰＣＣのダウンリンク・グラントのサーチスペースと同じＶＲＢを共有する。この解決法は、図６に示すようなクロスコンポーネントキャリアスケジューリングを行わない解決法と同様である。また、同様に、そのような解決法では、特定の割当事例によってはリソースの無駄が生じる。
【００７９】
図１０に、ダウンリンクおよびアップリンク・グラントサーチスペース両方のアグリゲーションレベル２の候補の割当例を示す。具体的には、図１０の（ａ）は、すでに図９に示した構成に対応する第１スロットおよび第２スロットの一部を示す。図１０の（ｂ）は、アグリゲーションレベル２のダウンリンクのＰＣＣ候補とアップリンクのＰＣＣ候補が同じＶＲＢを共有する場合を示す。この（ｂ）ではＤＬ  ＳＣＣは割り当てられない。そのため、無駄になるリソースがなく、ＰＤＳＣＨ１０３０が代わりに割り当てられる。図１０の（ｃ）は、アップリンク・グラント１０４０がＵＬ  ＰＣＣのためにスケジューリングされ、ダウンリンク・グラント１０５０がＤＬ  ＳＣＣのためにスケジューリングされる例を示す。したがって、図１０の（ａ）に示すダウンリンクおよびアップリンク・グラントのサーチスペースの構成を使用すると、第２スロットの最初の２つのＶＲＢ中の２つのＶＲＢが無駄になる。別の割当例を図１０の（ｄ）に示す。具体的には、ＤＬ  ＰＣＣについてのダウンリンク・グラント１０６０、ＵＬ  ＰＣＣについてのアップリンク・グラント１０７０、およびＤＬ  ＳＣＣについてのダウンリンク・グラント１０８０が設定される。図から理解できるように、この構成では第２スロットの２つのＶＲＢが無駄になる。
【００８０】
リソースの無駄を回避するために、本発明の一実施形態により、アップリンクのコンポーネントキャリアのアップリンク・グラントのサーチスペースが、可能な限りすべてのダウンリンクのコンポーネントキャリアのダウンリンク・グラントのサーチスペースに分散される。好ましくは、いくつかのアップリンク・グラントサーチスペース候補が１つのダウンリンク・コンポーネントキャリアのダウンリンク・グラント候補と同じＶＲＢを共有し、いくつかのアップリンク・グラント候補が、別のダウンリンク・コンポーネントキャリアのダウンリンク・グラント候補と同じＶＲＢを共有する。そのようにすると、アップリンク・グラントを、すべてのダウンリンクのコンポーネントキャリアにあるダウンリンク・グラントと同じＰＲＢペアの中に割り当てることができる。
【００８１】
サーチスペースのそのような構成の例を図１１に示す。第１スロットは図９の第１スロットと同様であり、ＤＬ  ＰＣＣとＤＬ  ＳＣＣのサーチスペースは重ならない。第２スロットに関しては、ＵＬ  ＰＣＣのサーチスペース候補が、ＤＬ  ＰＣＣおよびＤＬ  ＳＣＣのダウンリンク・グラントサーチスペースに分散される。この例では、ＤＬ  ＰＣＣおよびＤＬ  ＳＣＣのダウンリンク・グラントサーチスペースが別々に構成されるものとする。このＵＬ  ＰＣＣのサーチスペースの構成により、各ダウンリンク・グラントサーチスペースにあるアグリゲーションレベル｛１，２，４，８｝のアップリンク・グラント候補の数が｛３，３，１，１｝になる。アップリンク・グラントは、ほぼすべてのダウンリンク・コンポーネントキャリアのダウンリンク・グラントと同じ物理リソースブロックペアに割り当てることができるので、第１スロットのＰＲＢが無駄になる確率（アップリンク・グラントのみが割り当てられる場合）、および第２スロットのＰＲＢが無駄になる確率（ＰＣＣ以外のコンポーネントキャリアについてのダウンリンク・グラントのみが割り当てられる場合）が低下する。
【００８２】
図１１から分かるように、ＵＬ  ＰＣＣの候補がＤＬ  ＰＣＣとＤＬ  ＳＣＣ両方の候補とリソースブロックを共有する。具体的には、ＵＬ  ＰＣＣの候補は、システム情報によってＵＬ  ＰＣＣと関連付けられていないＤＬ  ＳＣＣとも物理リソースブロックを共有する。図７に示す例から分かるように、ダウンリンク・グラントとアップリンク・グラントを同じＰＲＢペアに割り当てることができない場合は、特定の割当によっては、第１スロットのＰＲＢおよび／または第２スロットのＰＲＢが無駄になる。したがって、アップリンク・グラント候補をダウンリンク・グラント候補と同じＰＲＢペアに配置する機会を増すために、各アグリゲーションレベルのアップリンク・グラント候補が可能な限りすべてのダウンリンクのコンポーネントキャリアのダウンリンク・グラントサーチスペースに分散される。この基礎となる概念に基づいて、ダウンリンク・グラントサーチスペースへのアップリンク・グラント候補の分散を定義する規則を定義することができる。
【００８３】
具体的には、本発明の実施形態によると、アップリンク・グラント候補はＤＬ  ＰＣＣのサーチスペースから分散していき、続いてＳＣＣの数に応じてＤＬ  ＳＣＣ１、ＤＬ  ＳＣＣ２のサーチスペース等へと分散していくことができる。ただし、ＤＬ  ＰＣＣについてのダウンリンク・グラントの第２スロットはＰＤＳＣＨのために割り当てることができるので、リソース使用の点からは、アップリンク・グラント候補をＤＬ  ＰＣＣではなくＤＬ  ＳＣＣのダウンリンク・グラントサーチスペースに配置する方が効率的である。したがって、ＵＬ  ＰＣＣのサーチスペースを分散する際にＤＬ  ＳＣＣがＤＬ  ＰＣＣより優先度が高い場合には有利である。具体的には、アップリンク・グラントサーチスペースの候補が、ＵＬ  ＰＣＣがシステム情報を通じて関連付けられているＰＣＣではなく、ＳＣＣと同じＰＲＢを共有する場合に有益である。
【００８４】
上記の考慮事項に基づくと、グラントサーチスペースをマッピングする際の基本規則は以下のようになる。
１．各レベルのアップリンク・グラント候補は、可能な限りすべてのダウンリンクのコンポーネントキャリアのダウンリンク・グラントサーチスペースに分散させる。
２．ＵＬ  ＰＣＣのどの候補がダウンリンクサーチスペースの候補とＰＲＢを共有するかを決定する際にＤＬ  ＳＣＣはＤＬ  ＰＣＣよりも高い優先度を有する。
【００８５】
図１１に、１つのダウンリンクのコンポーネントキャリアにスケジューリングされた２つのダウンリンク・コンポーネントキャリアと１つのアップリンク・コンポーネントキャリアそれぞれについての２つのサーチスペースの例を示す。この例では、各アグリゲーションレベルのアップリンク・グラント候補は、２つのダウンリンク・コンポーネントキャリア、すなわちＤＬ  ＰＣＣおよびＤＬ  ＳＣＣのダウンリンク・グラントサーチスペースに均等に分散することができる。
【００８６】
図１２に別の例を示す。この場合は３つのダウンリンク・コンポーネントキャリアのサーチスペースと１つのアップリンク・コンポーネントキャリアのサーチスペースがあり、すべてが１つのダウンリンクのコンポーネントキャリア（ＤＬ  ＰＣＣ）にスケジューリングされている。アグリゲーションレベル１および２の６個のアップリンク・グラント候補はそれぞれ、図１１の例と同様に３つのダウンリンクのコンポーネントキャリアのダウンリンク・グラントサーチスペースに分散することができる。ただし、アグリゲーションレベル４および８のアップリンク・グラントサーチスペースには各々２つの候補しかないものとする。したがって、それらを３つのダウンリンクのコンポーネントキャリアサーチスペースに均等に分散することができない。上記の規則に従うと、ＤＬ  ＳＣＣはＤＬ  ＰＣＣよりも優先度が高い。したがって、アグリゲーションレベル４および８のアップリンク・グラント候補は、ＤＬ  ＳＣＣ１およびＤＬ  ＳＣＣ２のダウンリンク・グラントサーチスペースの候補とＶＲＢを共有するようにマッピングされ、ＤＬ  ＰＣＣが余る。したがって、アップリンク・グラントサーチスペースの候補は、ダウンリンクのコンポーネントキャリアのサーチスペース候補、またはシステム情報によってＵＬ  ＰＣＣと関連付けられていないＤＬ  ＳＣＣと、ＰＲＢを共有することが好ましい。
【００８７】
図１２に示す構成は別の効果ももたらす。局所的な割当により高い周波数スケジューリングゲインを実現するために、１つのダウンリンク・グラントサーチスペースにあるアップリンク・グラント候補が周波数領域で分散される。具体的には、ＤＬ  ＳＣＣのサーチスペースのＶＲＢ内のアップリンク・グラント候補は、ＤＬ  ＰＣＣサーチスペースのＶＲＢ内のアップリンク・グラント候補に対して位置がシフトされる。そのような分散により、特にＤＬ  ＰＣＣのサーチスペースとＤＬ  ＳＣＣのサーチスペースが完全に重なる場合に効果が得られる。そのような場合、各ダウンリンク・コンポーネントキャリアのサーチスペースのＶＲＢ内のＵＬ  ＰＣＣの候補は、互いに完全には重ならない。
【００８８】
図１３に、アップリンク・グラント候補をダウンリンクのコンポーネントキャリアのサーチスペースのＶＲＢに分散する利点を説明する。具体的には、図１３の（ａ）は、図１１を参照して説明したサーチスペース構成の第１スロットおよび第２スロットの一部を示す。先の例と同じように、アグリゲーションレベル２の候補を割り当てるものとする。図１３の（ｂ）は、アップリンク・グラントをＤＬ  ＰＣＣについてのダウンリンク・グラントと同じＰＲＢペアに割り当てることができる場合を示す。この場合は、図１０の例と同様に、ＰＲＢが無駄にならず、ＰＤＳＣＨを割り当てることができる。図１３の（ｃ）は、割り当てられたＤＬ  ＳＣＣについてのダウンリンク・グラントとＵＬ  ＰＣＣについてのアップリンク・グラントがある点で図１０の割当例（ｃ）に対応する。ただし、図１３の（ｃ）は、図１１によるサーチスペースの構成を使用する場合には、アップリンク・グラントをＤＬ  ＳＣＣについてのダウンリンク・グラントと同じＰＲＢペアに割り当てることができることを示している。したがって、無駄になるＰＲＢがない。最後に、図１３の（ｄ）は、図１０の（ｄ）で説明した例と同様の割当例を示す。具体的には、ＤＬ  ＰＣＣについてのダウンリンク・グラント、ＤＬ  ＳＣＣについてのダウンリンク・グラント、およびＵＬ  ＰＣＣについてのアップリンク・グラントが割り当てられる。図１１を参照して説明したアップリンクサーチスペースの構成では、ＤＬ  ＰＣＣについてのダウンリンク・グラントの第２スロットにはＰＤＳＣＨが割り当てられ、アップリンク・グラントは、ＤＬ  ＳＣＣのダウンリンク・グラントと同じＰＲＢペアに割り当てることができる。その結果、この場合も無駄になるＰＲＢがない。要約すると、図１０の種々の割当例と図１３の例とを比べると、図９のサーチスペースの構成では結果として６つのＰＲＢが無駄になる。一方、図１１を参照して説明した構成では無駄になるＰＲＢが生じない。
【００８９】
上記のように、図１２では、マッピングされたＵＬ  ＰＣＣのサーチスペース候補の周波数ダイバーシティが高くなるという効果も得られる。ただし、そのような効果は、図１２による３つのＤＬ  ＣＣを備えたサーチスペースの構成に限られない。
【００９０】
図１４に、第１スロットのＤＬ  ＰＣＣおよびＤＬ  ＳＣＣの２つの別々に構成されたサーチスペースと、ＤＬ  ＰＣＣおよびＤＬ  ＳＣＣのサーチスペースに分散されたＵＬ  ＰＣＣのサーチスペースを示す。また、ＤＬ  ＳＣＣのサーチスペースのＶＲＢ中の各アグリゲーションレベルのアップリンク・グラント候補は、ＤＬ  ＰＣＣのサーチスペースのＶＲＢ中のそれぞれ同じアグリゲーションレベルのアップリンク・グラント候補に対して位置がシフトされている。
【００９１】
図８〜図１４を参照して説明したすべての例では、ダウンリンクのコンポーネントキャリア（ＤＬ  ＰＣＣ、ＤＬ  ＳＣＣ１、ＤＬ  ＳＣＣ２，．．．）各々に別個に構成されたダウンリンク・グラントサーチスペースを想定した。しかし、ダウンリンク・グラントサーチスペースは必ずしも別々に構成しなくともよい。それに代えて、ダウンリンク・コンポーネントキャリアのダウンリンク・グラントサーチスペースはＶＲＢ領域で連続していてもよい。これは、クロスキャリアスケジューリングを行う事例におけるリリース１０のＰＤＣＣＨと同様になる。そのような構成を図１５に示す。各アグリゲーションレベルのＤＬ  ＰＣＣおよびＤＬ  ＳＣＣの候補は、第１スロットのＶＲＢ領域で連続している。本発明の基礎となる概念、すなわち、ＵＬ  ＰＣＣのアップリンク・グラント候補を可能な限りすべてのダウンリンクのコンポーネントキャリアサーチスペースに分散させることに従うと、いくつかのＤＬ  ＰＣＣ候補およびいくつかのＤＬ  ＳＣＣ候補とＶＲＢを共有するために、アップリンク・グラント候補をＶＲＢ領域で分散させることになる。そのような構成の一例を図１５の第２スロットに示す。図１５から分かるように、分散は、上記説明したＤＬ  ＰＣＣ及びＤＬ  ＳＣＣのダウンリンク・グラントのサーチスペースを別個に構成する場合と同じ規則に従っている。具体的には、ＵＬ  ＰＣＣのアグリゲーションレベル１の候補は、ＤＬ  ＰＣＣおよびＤＬ  ＳＣＣのアグリゲーションレベル１の候補に対して均等に分散される。同様に、アグリゲーションレベル２の候補は、ＤＬ  ＰＣＣおよびＤＬ  ＳＣＣのアグリゲーションレベル２の候補に均等に分散される。アグリゲーションレベル４および８の候補について、図１５では、ＵＬ  ＰＣＣのアグリゲーションレベル４の１つの候補がＤＬ  ＰＣＣのアグリゲーションレベル４の１つの候補とＶＲＢと共有するのに対し、アグリゲーションレベル４の別のＵＬ  ＰＣＣ候補が、ＤＬ  ＳＣＣの別のアグリゲーションレベル４の候補とＶＲＢを共有することを示す。同様にしてアグリゲーションレベル８の候補も分散される。
【００９２】
上記の例では第２スロットのＶＲＢ領域にあるＵＬ  ＰＣＣサーチスペースの候補を、ダウンリンクサーチスペースの候補に対して可能な限り均一に分散することを述べたが、本発明はそのようなサーチスペースの構成に制限されないことに留意されたい。それに代えて、分散は特定のアグリゲーションレベルの候補のみに行ってもよい。それに代えて、またはそれに加えて、１つのアグリゲーションレベル内で候補の一部のみを分散させてもよい。リソースブロックが無駄になる確率を減らすためには、高度の分散が有利である。ただし、特定のシステム・アーキテクチャには他の構成がより有益である可能性がある。
【００９３】
本発明は、アップリンクとダウンリンクのコンポーネントキャリアが対称である事例にも適用することができる。図１６に、１つのダウンリンク・コンポーネントキャリアで提供された２つのダウンリンク・コンポーネントキャリアおよび２つのアップリンク・コンポーネントキャリアのサーチスペースの例を示す。図１６から分かるように、ＤＬ  ＰＣＣおよびＤＬ  ＳＣＣのサーチスペースは別々に構成されている。ＵＬ  ＰＣＣのアップリンク・グラント候補は、ダウンリンクＰＣＣおよびダウンリンクＳＣＣのサーチスペースに分散される。同様に、ＵＬ  ＳＣＣのアップリンク・グラント候補はＤＬ  ＰＣＣおよびＤＬ  ＳＣＣのサーチスペースに分散される。この構成では、ＵＬ  ＰＣＣおよびＵＬ  ＳＣＣの候補は、各アグリゲーションレベルのダウンリンク・コンポーネントキャリアのサーチスペースのＶＲＢでインターリーブされる。具体的には、ＤＬ  ＰＣＣサーチスペースのＶＲＢ内で、ＵＬ  ＰＣＣのアップリンク・グラント候補からマッピングが開始され、次いで各アグリゲーションレベルのＵＬ  ＳＣＣのアップリンク・グラント候補へと進む。ＤＬ  ＳＣＣサーチスペースのＶＲＢ内では、ＵＬ  ＳＣＣのアップリンク・グラント候補からマッピングが開始され、次いで各アグリゲーションレベルのＵＬ  ＰＣＣのアップリンク・グラント候補へと進む。それぞれのＵＬグラント候補間でこのようにシフトすることにより、ＤＬ  ＰＣＣとＤＬ  ＳＣＣのＤＬグラントサーチスペースが完全に互いに重なる場合でも、各アップリンク・コンポーネントキャリアのＵＬグラント候補の数を減らす必要がないという利点が得られる。この例で理解されるように、本発明は、ダウンリンクとアップリンクのコンポーネントキャリアの数が等しい対称形のダウンリンクおよびアップリンクのコンポーネントキャリア構成にも適用可能である。これは、各ダウンリンク・コンポーネントキャリアのダウンリンク・グラントが、各アップリンク・コンポーネントキャリアのアップリンク・グラントと同じＰＲＢペアで割り当てられる確率を高くすることにより実現される。
【００９４】
先の例では、ＤＬ  ＰＣＣとＵＬ  ＰＣＣとがシステム情報で関連付けられると想定した。ただし、本発明はそれに限定されず、下記のようにサーチスペースがシステム情報で関連付けられない場合にも適用可能である。
【００９５】
一般に、無駄になるリソースブロックの数は、ＵＬ  ＣＣのアップリンクサーチスペースが、当該ＵＬ  ＣＣとシステム情報を介して関連付けられていないＤＬ  ＣＣについてのダウンリンクサーチスペースとリソースブロックペアを共有する時に減る。
【００９６】
本発明の一実施形態によると、ＤＬ  ＣＣとＵＬ  ＣＣのダウンリンクおよびアップリンク・グラントのサーチスペースの位置が合わせられ、ＤＬ  ＣＣとＵＬ  ＣＣはシステム情報で関連付けられない。これに対応する例を図１７に示す。具体的には、ＤＬ  ＰＣＣのＤＬグラント、ＤＬ  ＳＣＣのＤＬグラント、およびＵＬ  ＰＣＣのＵＬグラントがＤＬ  ＰＣＣでスケジューリングされる。この例では、ＤＬ  ＰＣＣとＵＬ  ＰＣＣがシステム情報に従って関連付けられるものとする。したがって、ＵＬ  ＰＣＣのアップリンク・グラントのサーチスペースは、ＤＬ  ＳＣＣのダウンリンク・グラントのサーチスペースと同じＶＲＢを共有する。
【００９７】
図１８に本発明のこの実施形態の効果をいくつか説明する。図１８の（ａ）は、図１７によるサーチスペースの構成の一部を示す。（ｂ）の割当例１では、ダウンリンク・グラントがＤＬ  ＰＣＣについて割り当てられ、アップリンク・グラントがＵＬ  ＰＣＣについて割り当てられる。このような例では、アップリンク・グラントサーチスペースがＤＬ  ＰＣＣのサーチスペースとＰＲＢペアを共有しないため、２つのＰＲＢが無駄になる。（ｃ）の別の割当例は、ＤＬ  ＳＣＣのダウンリンク・グラントとＵＬ  ＰＣＣのアップリンク・グラントが割り当てられる場合を示す。この場合は無駄になるＰＲＢがない。同様に、（ｄ）の割当例３では、ダウンリンク・グラントがＤＬ  ＰＣＣとＤＬ  ＳＣＣに対して割り当てられ、アップリンク・グラントがＵＬ  ＰＣＣに対して割り当てられ、無駄になるＰＲＢはない。このように、６つのＰＲＢが無駄になる図９および図１０を参照して説明した解決法と比べると、同様の割当例を比較した場合に無駄になるＰＲＢは２つのみとなる。
【００９８】
本発明の別の実施形態を図１９に示す。図１９から分かるように、この例ではダウンリンクサーチスペースが別々に構成される。アップリンク・グラントサーチスペース候補は、ダウンリンクサーチスペースに対して分散され、アグリゲーションレベルごとに第２スロットのＰＲＢに連続的にマッピングされる。したがって、ＵＬ  ＰＣＣのアップリンク・グラント候補が、各ＤＬ  ＣＣ（この場合はＤＬ  ＰＣＣおよびＤＬ  ＳＣＣ）の最初の数個のダウンリンク・グラント候補と同じＶＲＢを共有する。この例でも、等しい数のアップリンクサーチスペース候補がダウンリンクサーチスペースに分散されることに留意されたい。ただし、本発明はこれに限定されず、候補は、あるＣＣのダウンリンクサーチスペースとＶＲＢを共有する候補が別のＣＣよりも多くなるように分散させてもよい。
【００９９】
図２０に別の例を示す。この場合は各ＤＬ  ＣＣのダウンリンク・グラント候補が、ＶＲＢ領域で連続しており、またＵＬ  ＰＣＣのすべてのアップリンク・グラント候補がＶＲＢ領域で連続している。この変形例の利点は、アップリンク・グラント候補が連続することである。連続したアップリンク・グラント候補は、リリース１０のＰＤＣＣＨの設計とより整合する。図２０から理解できるように、アップリンク・グラントサーチスペースが連続している（空白がない）場合でも、アップリンクの候補は、各アグリゲーションレベルでアップリンクのコンポーネントキャリアのサーチスペースに分散される。ただし、本発明はこれに限定されず、一般には、１つまたは複数の選択されたアグリゲーションレベルの候補のみがそのように分散される構成も可能である。
【０１００】
図２１に、図１２を参照して説明した例と多少類似する例を示す。ただし、図２１の例では、各アグリゲーションレベルの少なくとも１つのアップリンク・グラント候補が、ＤＬ  ＰＣＣのＤＬグラント候補と同じＶＲＢを共有する。別々に構成された３つのＤＬ  ＣＣと１つのＵＬ  ＣＣがあり、すべてが１つのＤＬ  ＣＣでスケジューリングされている。アグリゲーションレベル４および８のアップリンク・グラント候補は２つしかない。本発明のこの実施形態によると、アグリゲーションレベル４および８の１つのＵＬグラント候補が、ＤＬ  ＰＣＣの対応するアグリゲーションレベルのダウンリンク・グラント候補と同じＶＲＢを共有する。アグリゲーションレベル４および８のその他のアップリンク・グラント候補は、ＤＬ  ＳＣＣ１またはＤＬ  ＳＣＣ２のＶＲＢ内で割り当てることができる。本発明は図２１に示す構成に限定されない。具体的には、レベル４のアップリンクサーチスペース候補は、ＤＬ  ＰＣＣおよびＤＬ  ＳＣＣ１に分散することができ、一方、レベル８のアップリンクサーチスペース候補はＤＬ  ＰＣＣおよびＤＬ  ＳＣＣ２に分散する、またはその逆が可能である。他の構成も可能である。図２１は、図１２と同様に、より高い周波数ダイバーシティゲインを得るために、アップリンクサーチスペース候補を、ダウンリンクサーチスペースの先頭に対してシフトすることを示している。ただし、本発明はそのようなシフトを行わずに適用することも可能である。
【０１０１】
図２１を参照して説明した実施形態の利点の１つは、アップリンク・グラントを常に、ＤＬ  ＰＣＣサーチスペースと共有されるＶＲＢに割り当てることができることである。したがって、ＤＬ  ＰＣＣのＶＲＢにあるアップリンク・グラント候補が変更されないため、ＤＬ  ＣＣの再構成およびクロスコンポーネントキャリアスケジューリング手順の再構成時に、アップリンク・グラントをなおスケジューリングすることができる。
【０１０２】
図２２に本発明の別の実施形態を示す。３つのコンポーネントキャリアＤＬ  ＰＣＣ、ＤＬ  ＳＣＣ１、およびＤＬ  ＳＣＣ２それぞれのダウンリンクサーチスペースの構成は、図２１に示す構成と同様である。ただし、この実施形態では、アップリンク  ＤＣＩフォーマットの異なる値に対して異なるアップリンク・グラント候補が割り当てられる。例えば、ＤＣＩフォーマット０は、ＤＬ  ＣＣの再構成およびクロスコンポーネントキャリアスケジューリング手順の再構成時に使用される場合があるデフォルト・モードに使用される可能性がより高い。このため、各アグリゲーションレベルのＤＣＩフォーマット０についての少なくとも１つのＵＬグラント候補が、ＤＬ  ＰＣＣサーチスペースのＶＲＢを共有する。各アグリゲーションレベルのＤＣＩフォーマット０の他のアップリンク・グラント候補は、ＤＬ  ＳＣＣサーチスペースのＶＲＢに割り当てられる。ＰＲＢリソースを節約するために、ＤＣＩフォーマット４のアップリンク・グラント候補については、ＤＬ  ＰＣＣのサーチスペースはＤＬ  ＳＣＣのサーチスペースよりも高い優先度を有する。図２２に示すように、アグリゲーションレベル４および８のＤＣＩフォーマット０の２つのＵＬグラント候補がＤＬ  ＰＣＣおよびＳＣＣ１のサーチスペースのＶＲＢに割り当てられ、アグリゲーションレベル４および８のＤＣＩフォーマット４の２つのＵＬグラント候補がＤＬ  ＳＣＣ１およびＳＣＣ２のサーチスペースのＶＲＢに割り当てられる。ただし、この実施形態は図２２に示す例に限定されない。具体的には、アグリゲーションレベル４またはアグリゲーションレベル８、あるいは別のアグリゲーションレベル、あるいは複数のアグリゲーションレベルについてのみＤＣＩフォーマットを考慮することも可能である。
【０１０３】
図１２、図２１、および図２２で説明した例はすべて、第１スロットに３つのサーチスペースがある例を示している。そのような場合は、特定サイズの第２スロットの候補の数が偶数である時には、そのサイズの候補は３つのサーチスペースに対して均等に分散させることができない。さらに、それらの例では、アグリゲーションレベル（サイズ）が４の候補は２つしかないことを想定している。その結果、サイズ４の２つの候補は、３つのサーチスペース（２つのキャリアそれぞれに関連する）のうち２つにそれぞれマッピングすることしかできない。同じことがアグリゲーションレベル８にも当てはまる。
【０１０４】
図１２を参照して説明した実施形態によると、セカンダリサブキャリアへのマッピングが優先される。この優先は、サーチスペースの構成に種々の形で反映させることができる。例えば、ＳＣＣのサーチスペースにマッピングされた同じサイズの候補がＰＣＣのサーチスペースよりも多くなるようにすることができる。より具体的には、ＰＣＣには特定サイズの候補がゼロ個であってもよく、一方、１つまたは複数のＳＣＣには同じサイズの候補がいくつかある。
【０１０５】
あるいは、図２１を参照して説明した実施形態は、ＰＣＣを優先させる別の方式を示す。同様に、様々な形でその優先をサーチスペースの構成に表すことができる。例えば、各アグリゲーションレベルの少なくとも１つのＵＬ  ＣＣ候補がＤＬ  ＰＣＣの候補と同じサブキャリアにマッピングされる。あるいは、ＤＬ  ＰＣＣにマッピングされた任意サイズのＵＬ  ＣＣ候補の数を、１つまたは複数のＤＬ  ＳＣＣにマッピングされた候補の数より多くする。任意のＳＣＣにマッピングされる候補の数はゼロであってもよい。
【０１０６】
両方の優先付け手法とも、上述したようにそれぞれ利点がある。サーチスペースの特定の構成は、所望のシステム構成に応じて選択することができる。
【０１０７】
図２２を参照して説明した例では、加えて、異なるダウンリンク制御情報フォーマットに対して異なるＵＬ  ＣＣのサーチスペースの構成を指定することが可能となる。
【０１０８】
図２２を参照して説明した実施形態の利点は、ＤＣＩフォーマット０を使用して、再構成手順時にアップリンク・グラントをなおスケジューリングできることである。同時に、ＤＣＩフォーマット４が通常使用される場合は、アップリンク・グラント候補がＤＬ  ＳＣＣのＤＬグラント候補と同じＶＲＢを共有するので、無駄になるＰＲＢを減らすことができる。
【０１０９】
図２３および図２４は、候補アグリゲーションレベルが２の場合に本発明の各種実施形態で達成することが可能な改善を要約した表を含む。
【０１１０】
具体的には、図２３の表は、２つのＤＬ  ＣＣそれぞれについての２つのダウンリンクサーチスペースとＵＬ  ＣＣについての１つのアップリンクサーチスペースとを含むサーチスペース構成の場合に無駄になるＰＲＢの数を示す。同表では、ダウンリンク・グラントおよびアップリンク・グラントともアグリゲーションレベル２を使用するものとする。１番目の列は、想定されるダウンリンクサーチスペースの割当を示し、２番目の列は、アップリンクサーチスペースの割当を示す。具体的には、「０」は、ＤＬ／ＵＬ  ＣＣがスケジューリングされないことを意味し、「１」はＤＬ／ＵＬ  ＣＣがスケジューリングされることを意味する。３番目の列は、図９を参照して説明した構成の場合に無駄になるＰＲＢの数を示す。４番目の列は、図１７を参照して説明した構成の場合に無駄になるＰＲＢの数を示す。最後の列は、図１１を参照して説明した構成の場合に無駄になるＰＲＢの数を示す。表から理解されるように、図１１の解決法ではその他の２つの解決法よりも多くの場合で無駄になるＰＲＢがない。図１７の解決法では、図９の解決法よりも多くの場合で無駄になるＰＲＢがない。図１１の解決法では、他の２つの解決法と比べた時に無駄になるＰＲＢの平均数および最大数の点でも利得が得られる。図１７の解決法も、無駄になるＰＲＢの平均数および最大数の点で図９の解決法より性能がよい。
【０１１１】
図２４の表は、種々の数のダウンリンクおよびアップリンクのコンポーネントキャリアの場合に無駄になるＰＲＢのより広範な一覧を提供する。１番目の列はＤＬ  ＣＣの数を示す。２番目の列はＵＬ  ＣＣの数を示す。３番目の列は、図９の解決法の場合に無駄になるＰＲＢの平均数を示す。４番目の列は、図１７の解決法の場合に無駄になるＰＲＢの平均数を示す。最後の列は、図１１の解決法の場合に無駄になるＰＲＢの平均数を示す。図２３および図２４の表の平均は、３つの可能な割当構成にまたがって計算されたものである（図１０、図１３、図１８を参照されたい）。各行は、ダウンリンクおよびアップリンクのコンポーネントキャリアの数の構成の１つである。構成ごとに、図２３の表のような表を形成することができる。表には、アップリンク・グラントを割り当てない場合を除く、ダウンリンク・グラントおよびアップリンク・グラントのすべての可能な割当を掲載している。これは、アップリンク・グラントが割り当てられない場合には、アップリンク・グラントサーチスペースをマッピングする解決法は役に立たないためである。可能な割当ごとに、無駄になるＰＲＢの数を計数する。無駄になるＰＲＢの平均数は、すべての可能な割当における平均である。
【０１１２】
表から理解できるように、すべての場合に、図１１を参照して説明した主要な解決法が他の２つの解決法を上回る効果をもたらす。ダウンリンクとアップリンクのコンポーネントキャリアが非対称の場合には、図１１を参照して説明した解決法が常に図９の解決法よりも良好に機能する。図１２〜１６および図１９〜２２を参照して説明した解決法も、図１１を参照して説明した解決法のようにアップリンクサーチスペース候補を異なるダウンリンクサーチスペースに分散させることにより、同じ効果が得られることに留意されたい。
【０１１３】
一般に、本発明の実施形態により構成されるサーチスペースは、固定的、静的、準静的、または動的に構成することができる。上記ＬＴＥシステムのための実施形態に照らすと、送信ノードはドナーｅＮｏｄｅＢ４１０であり、受信ノードは中継ノード４２０である。モニタ対象として特定の中継ノードに割り当てられる候補の観点からは、サーチスペースの構成は動的に行うことができる。Ｒ−ＰＤＣＣＨの伝送に利用できるリソースの点からは、サーチスペースの構成は準静的（例えばＲＲＣごと）に構成、または固定することができる。ただし、本発明および上記のサーチスペースの構成の実施形態は、ユーザ機器などの他のノードにも等しく適用することができる。
【０１１４】
本発明の有利な実施形態によると、受信ノードは中継ノードであり、送信ノードはｅＮｏｄｅＢであり、制御情報は、上記のように構成されたＲ−ＰＤＣＣＨのサーチスペースを通じて通信されるアップリンク／ダウンリンク・グラントである。そのような受信ノードおよび送信ノードによって行われるステップの例を図２５に示す。
【０１１５】
図２５では、実線は、送信ノードが受信ノードで復号すべきコンポーネントキャリアに関連する制御情報をサーチスペースにマッピングする（２５３０）、本発明の実施形態を表す。ここでは、サーチスペースは、上記例のいずれかに従って構成される。具体的には、サブフレームはリソース単位にさらに分割され、制御情報は、リソース単位にマッピングされたサーチスペースを定義する候補のセットからブラインド復号される。候補は、ＣＣＥまたはその集約（アグリゲーション単位）などの１つまたは複数のリソース単位を含むことができる。上記のように、異なるコンポーネントキャリアに関係する候補のサーチスペースは、サブフレーム中のリソース、すなわちサブフレームの第１および第２スロットにマッピングされる。第１スロットおよび第２スロット内のサーチスペースの少なくとも１つまたは複数の候補が同じリソースブロックペアを共有する。また、第１および第２スロットのそれらのサーチスペースは、システム情報で関連付けられないコンポーネントキャリア、すなわちそのリソースがセル内でブロードキャストされる制御情報によって関連付けられないコンポーネントキャリアそれぞれに関連する。
【０１１６】
送信機は、特定の受信ノードに対する候補に制御情報をマッピングし、その制御情報を送信する（２５４０）。受信ノードは、構成されたサーチスペースの候補をブラインド復号し（２５７０）、そこから制御情報を取得する（２５８０）。その制御情報は目的に従ってさらに処理される。
【０１１７】
上記のように、サーチスペースは、一般に、固定的、静的、準静的、または動的に構成することができる。図２５の点線は、送信ノードが最初にサーチスペースの構成（すなわち、制御情報および／または特定の受信ノードがモニタすべき候補を伝送する制御チャネルのマッピングに利用可能なリソース）を選択する（２５１０）、本発明の実施形態を示す。次いで、選択された構成が受信ノードに通知される（２５２０）。受信ノードはサーチスペースの構成の通知を受け取り（２５５０）、モニタする（ブラインド復号する）サーチスペースをそれに従って設定する（２５６０）。一般には、送信ノードに代えて受信ノードがサーチスペースを構成してよい。
【０１１８】
具体的には、上記のＬＴＥの実施形態に照らすと、送信ノードはドナーｅＮｏｄｅＢ５１０であり、受信ノードは中継ノード５２０である。モニタ対象として特定の中継ノードに割り当てられる候補の観点からは、サーチスペースの構成は動的に行ってよい。Ｒ−ＰＤＣＣＨの伝送に利用できるリソースの点からは、サーチスペースの構成は準静的（例えばＲＲＣごと）に構成、または固定することができる。
【０１１９】
さらに、本発明の各種実施形態は、プロセッサによって実行されるソフトウェア・モジュール、または直接ハードウェアとして実施することができる。また、ソフトウェア・モジュールとハードウェア実装の組み合わせも可能である。ソフトウェア・モジュールは、例えばＲＡＭ、ＥＰＲＯＭ、ＥＥＰＲＯＭ、フラッシュ・メモリ、レジスタ、ハード・ディスク、ＣＤ−ＲＯＭ、ＤＶＤ等の任意種のコンピュータ可読記憶媒体に記憶することができる。
【０１２０】
実施形態の大半は、３ＧＰＰに基づく通信システムのアーキテクチャに関連して概説し、上記の項で使用した用語は主として３ＧＰＰの用語に関連する。ただし、それらの用語および３ＧＰＰに基づくアーキテクチャに関する各種実施形態の説明は、本発明の原理および概念をそのようなシステムのみに限定するものではない。また、上記背景技術の項の詳細な説明は、本明細書に記載される主として３ＧＰＰに特有の例示的実施形態をよりよく理解することを目的としたものであり、本発明を、記載される移動通信ネットワークにおける処理および機能の具体的な実装に限定するものとは解釈すべきでない。それでも、本明細書に提案される概念およびサブフレーム構造は、背景技術の項に記載されるアーキテクチャで容易に適用することができる。さらに、本発明の概念は、３ＧＰＰで現在論議されているＬＴＥ−Ａ  ＲＡＮでも容易に使用することができる。
【０１２１】
要約すると、本発明は、キャリアアグリゲーションをサポートするシステム内で制御情報を送信および受信することに関する。制御情報のサーチスペースは、それぞれのコンポーネントキャリアによって決定される少なくとも２つのサーチスペースがサブフレームの第１スロットにあり、さらに別のコンポーネントキャリアによって決定される別のサーチスペースが第２スロットにあるように構成され、第１スロットのサーチスペースの少なくとも１つの候補が、第２スロットのサーチスペースの少なくとも１つの候補と同じリソースブロックペアにマッピングされる。
【図１】
0006018619.tif 000002
【図２】
0006018619.tif 000003
【図３】
0006018619.tif 000004
【図４】
0006018619.tif 000005
【図５】
0006018619.tif 000006
【図６】
0006018619.tif 000007
【図７】
0006018619.tif 000008
【図８】
0006018619.tif 000009
【図９】
0006018619.tif 000010
【図１０】
0006018619.tif 000011
【図１１】
0006018619.tif 000012
【図１２】
0006018619.tif 000013
【図１３】
0006018619.tif 000014
【図１４】
0006018619.tif 000015
【図１５】
0006018619.tif 000016
【図１６】
0006018619.tif 000017
【図１７】
0006018619.tif 000018
【図１８】
0006018619.tif 000019
【図１９】
0006018619.tif 000020
【図２０】
0006018619.tif 000021
【図２１】
0006018619.tif 000022
【図２２】
0006018619.tif 000023
【図２３】
0006018619.tif 000024
【図２４】
0006018619.tif 000025
【図２５】
0006018619.tif 000026